(57)【特許請求の範囲】
【請求項１】
少なくとも非弾性糸が１×１トリコット組織であり、弾性糸がルーピング組織からなる、伸縮性を有する経編地を、編み方向に対し３度以上かつ１７７度以下の角度で裁断し、裁断されたままの状態で縁始末不要な縁が衣料の縁部の少なくともいずれかとなる様、その裁断されたままの状態で縁始末不要な縁を有する部片を含んで形成された衣料。
【請求項２】
前記経編地が、非弾性糸と弾性糸が同行する１×１トリコット組織で、非弾性糸と弾性糸の両方が開き目である経編地からなる請求項１記載の衣料。
【請求項３】
前記経編地が、非弾性糸と弾性糸が逆行する１×１トリコット組織で、非弾性糸と弾性糸の少なくとも一方が閉じ目である経編地からなる請求項１記載の衣料。
【請求項４】
前記経編地が、非弾性糸と弾性糸が逆行する１×１トリコット組織で、非弾性糸と弾性糸の両方が閉じ目である経編地からなる請求項１記載の衣料。
【請求項５】
弾性糸の組織がハーフ組織である請求項１記載の衣料。
【請求項６】
弾性糸の組織がアトラス組織である請求項１記載の衣料。
【請求項７】
非弾性糸と弾性糸の、少なくとも一方が閉じ目である経編地からなる請求項５又は６のいずれかに記載の衣料。
【請求項８】
非弾性糸と弾性糸の両方が閉じ目である経編地からなる請求項５又は６のいずれかに記載の衣料。
【請求項９】
非弾性糸が綿糸である請求項５又は６のいずれかに記載の衣料。
【請求項１０】
非弾性糸が綿糸である請求項５記載の衣料。
【請求項１１】
非弾性糸が綿糸で、非弾性糸と弾性糸の少なくとも一方が閉じ目である経編地からなる請求項５記載の衣料。
【請求項１２】
非弾性糸が綿糸で、非弾性糸と弾性糸の両方が閉じ目である経編地からなる請求項５記載の衣料。
【請求項１３】
前記部片が、下記（Ａ−１）、（Ａ−２）からなる群（Ａ）から選ばれた少なくとも1種の素材と（Ａ−１）、（Ａ−２）以外の他の布からなる素材を接合して積層した部片からなる請求項１に記載の衣料。
（Ａ−１）非弾性糸と弾性糸とが同行する共に１×１トリコット組織で、非弾性糸と弾性糸が共に閉じ目である経編地。
（Ａ−２）非弾性糸と弾性糸とが同行する共に１×１トリコット組織で、非弾性糸と弾性糸のどちらか一方が閉じ目、他方が開き目である経編地。
【請求項１４】
他の布からなる素材が、下記（Ｂ−１）〜（Ｂ−４）からなる群（Ｂ）から選ばれた少なくとも1種の素材である請求項１３に記載の衣料。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
【請求項１５】
前記部片が、下記（Ｂ−１）〜（Ｂ−４）からなる群から選ばれた少なくとも１種の素材を複数枚接合して積層した部片からなる請求項１に記載の衣料。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
【請求項１６】
素材（Ａ）が（Ａ−１）であり、素材（Ｂ）が（Ｂ−１）である請求項１４に記載の衣料。
【請求項１７】
（Ｂ−１）の非弾性糸が綿であり、且つ非弾性糸と弾性糸が共に閉じ目である請求項１６に記載の衣料。
【請求項１８】
前記部片の衣料における上縁あるいは下縁の少なくとも一方が、裁断されたままの状態で縁始末不要な縁からなり、当該縁始末不要な縁が編み方向に対して、１０〜１２０度の角度で裁断されている請求項１〜１７のいずれかに記載の衣料。
【請求項１９】
前記部片の衣料における上縁および下縁の両方が、裁断されたままの状態で縁始末不要な縁からなり、当該縁始末不要な縁が編み方向に対して、１０〜１２０度の角度で裁断されている請求項１〜１７のいずれかに記載の衣料。
【請求項２０】
前記部片が、衣料の上下方向に連続した経編地からなる請求項１〜１９のいずれかに記載の衣料。
【請求項２１】
前記部片の衣料における上縁あるいは下縁の少なくとも一方が、裁断されたままの状態で縁始末不要な縁からなり、当該縁始末不要な縁が曲線に裁断されている請求項１〜２０のいずれかに記載の衣料。
【請求項２２】
前記部片の衣料における上縁および下縁の両方が、裁断されたままの状態で縁始末不要な縁からなり、当該縁始末不要な縁が曲線に裁断されている請求項 １〜２０のいずれかに記載の衣料。
【請求項２３】
前記部片の衣料における上縁あるいは下縁の少なくとも一方が、裁断されたままの状態で縁始末不要な縁からなり、当該縁始末不要な縁が複数の曲線のある波形状である請求項１〜２１のいずれかに記載の衣料。
【請求項２４】
前記部片の衣料における上縁および下縁の両方が、裁断されたままの状態で縁始末不要な縁からなり、当該縁始末不要な縁が複数の曲線のある波形状である請求項１〜２２のいずれかに記載の衣料。
【請求項２５】
前記部片の衣料における上縁および下縁の両方の縁が、裁断されたままの状態で縁始末不要な縁からなり、上縁および下縁が相互に非平行である請求項１〜２４のいずれかに記載の衣料。
【請求項２６】
前記部片の衣料における上縁および下縁の両方の縁が、裁断されたままの状態で縁始末不要な縁からなり、上縁の縁の形状と、下縁の縁の形状が異なっている請求項１〜２５のいずれかに記載の衣料。
【請求項２７】
衣料がボトム衣料であり、前記部片の裁断されたままの状態で縁始末不要な縁が、ウェストもしくは裾の少なくとも一方を形成する請求項１〜２６のいずれかに記載の衣料。
【請求項２８】
衣料がボトム衣料であり、前記部片の裁断されたままの状態で縁始末不要な縁が、ウェストと裾の両方を形成する請求項１〜２６のいずれかに記載の衣料。
【請求項２９】
衣料がブラジャー、もしくは水着あるいはレオタードのトップスであり、前記部片の裁断されたままの状態で縁始末不要な縁が、バック布の上縁又は下縁の少なくとも一方の縁を形成する請求項１〜２６のいずれかに記載の衣料。
【請求項３０】
衣料がブラジャー、もしくは水着あるいはレオタードのトップスであり、前記部片の裁断されたままの状態で縁始末不要な縁が、バック布の上縁及び下縁の両方の縁を形成している請求項１〜２６のいずれかに記載の衣料。
【請求項３１】
前記部片の裁断されたままの状態で縁始末不要な縁が、編み方向に対して、２０〜８０度の角度で裁断されている請求項２７に記載の衣料。
【請求項３２】
前記部片の裁断されたままの状態で縁始末不要な縁が、共に編み方向に対して、２０〜８０度の角度で裁断された縁である請求項２８に記載の衣料。
【請求項３３】
バック布を形成する前記部片の衣料における前記縁始末不要な縁が、編み方向に対して１０〜９０度の角度で裁断されている請求項２９または３０のいずれかに記載の衣料。
【請求項３４】
バック布を形成する前記部片の衣料における前記縁始末不要な縁が、編み方向に対して７５〜９０度の角度で裁断されている請求項２９または３０のいずれかに記載の衣料。
【請求項３５】
前記部片が、前記部片を構成する前記非弾性糸と弾性糸とからなる地編組織に、更に柄糸となる非弾性糸がジャカード制御により編みこまれて、ジャカード柄模様が形成されている請求項１〜３４のいずれかに記載の衣料。
【請求項３６】
地編組織を形成する弾性糸が１×１トリコット組織であり、地編組織を形成する非弾性糸とジャカード制御される柄糸となる非弾性糸の少なくともいずれか一方が、弾性糸と同行する１×１トリコット組織となっており、柄糸においてジャカード柄模様を形成する部分が、１×１トリコット組織以外の組織となっている請求項３５に記載の衣料。
【請求項３７】
地編組織を形成する弾性糸が１×１トリコット組織であり、地編組織を形成する非弾性糸とジャカード制御される柄糸となる非弾性糸のいずれか一方が、弾性糸と同行する１×１トリコット組織であり、他方の非弾性糸が、弾性糸と逆行する１×１トリコット組織であり、柄糸においてジャカード柄模様を形成する部分が、１×１トリコット組織以外の組織となっている請求項３５に記載の衣料。
【請求項３８】
地編組織を形成する非弾性糸が地編組織を形成する弾性糸と逆行する１×１トリコット組織であり、ジャカード制御される柄糸となる非弾性糸が、弾性糸と同行する組織で、柄糸においてジャカード柄模様を形成する部分が、１×１トリコット組織以外の組織となっている請求項３５に記載の衣料。
【請求項３９】
前記部片が、下記（Ａ−１）、（Ａ−２）からなる群から選ばれた少なくとも1種の素材からなる部片と請求項３５、３６、３７、３８のいずれかに記載のジャカード柄模様が形成されている部片からなる素材を接合して積層した部片からなる請求項１に記載の衣料。
（Ａ−１）非弾性糸と弾性糸とが同行する共に１×１トリコット組織で、非弾性糸と弾性糸が共に閉じ目である経編地。
（Ａ−２）非弾性糸と弾性糸とが同行する共に１×１トリコット組織で、非弾性糸と弾性糸のいずれか一方が閉じ目、他方が開き目である経編地。
【請求項４０】
バック布が、請求項１３〜１７、３９のいずれかに記載の部片を用いたバック布である請求項２９、３０、３３、３４のいずれかに記載の衣料。
【請求項４１】
前記部片が、弾性糸による直線状の伸縮パワーの切替え部位を有する請求項１〜４０のいずれかに記載の衣料。
【請求項４２】
衣料が、身体に密着する衣料である請求項１〜４１のいずれかに記載の衣料。
【発明の詳細な説明】
【技術分野】
【０００１】
本発明は、裁断されたままの状態で縁始末不要な縁を有する衣料に関する。
【背景技術】
【０００２】
従来より、例えば、衣料の裾部などの縁は、裁断したままの状態では、縁部が解れてしまうので、解れを防止するために、何らかの縁始末をする必要があった。この始末のことを、縁始末をする、ヘミングなどと称し、その方法は部位や素材によって様々であって、例えば、布端を折り返して２重にし縫合したり、別布やテープ状物を断面略Ｕ字状に生地の縁部に被せて縫合するなど、縁始末がされているのが一般的である。しかし、この作業は衣類の縫製において可成りの負担であり、しかもこのように縁始末を施すと、その部分が厚くなり、タイトなアウターウェアーをその上に着用した場合など、下着の縁ラインが凸条になって外衣に現れ、外観を損なったり、分厚くなった縁部が着用感を損なうなどの問題になっている。また、従来は、上下に連続した１枚の部片を衣料に使用した場合、縁始末不要な縁を形成するためには、糸抜きによって縁部を形成する方法がよく行われている（下記特許文献１の図２および段落［００１９］、［００２０］参照。特許文献２の図３および段落［００１４］参照。特許文献３の図１および段落［００２０］参照。）。糸抜きによる縁部とする場合は、上下縁部のラインは平行になる部片とせざるを得ない、上下縁部のラインが非平行な部片を衣料に使用する場合は、少なくとも一方は縁部始末をせざるを得ないといった制約があった。
そこで、近年、例えば縁始末不要な裾を有するガードルなど、縁始末不要な生地の当該縁部がガードル裾部になるように、縁始末不要な生地からなる部片を少なくとも当該衣料を構成する生地の少なくとも一部に用いた衣料が使用されてきている。しかし、縁部がカーリングを起こし、縁部が身体にフィットしない、という問題があった。
【特許文献１】
日本特開２０００−３０３３３１号公報
【特許文献２】
日本特許第２９９７４３２号公報
【特許文献３】
日本特許第３０５４３８４号公報
【発明の開示】
【発明が解決しようとする課題】
【０００３】
本発明は、かかる従来の問題点を解決し、裁断したままで縁部始末不要な部片を用いて当接する身体の形状にあわせ自由な縁部形状とし、設計の自由度を向上させ、かつ縁の部分が厚くならず、裾やウェストラインが外衣に反映して段差となって現れることなどのないなどの縁始末不要な縁を有する衣料の利点を有し、かつ衣料の当該縁部がカーリングすることなく、身体にフィットする衣料を提供することを課題とする。
【課題を解決するための手段】
【０００４】
前記課題を達成するために、本発明の衣料は、（１）少なくとも非弾性糸が１×１トリコット組織であり、弾性糸がルーピング組織からなる、伸縮性を有する経編地を、編み方向に対し３度以上かつ１７７度以下の角度で裁断し、裁断されたままの状態で縁始末不要な縁が衣料の縁部の少なくともいずれかとなる様、その裁断されたままの状態で縁始末不要な縁を含んだ部片を含んで形成された衣料である。
【発明の効果】
【０００５】
本発明の衣料は、（１）少なくとも非弾性糸が１×１トリコット組織であり、弾性糸がルーピング組織からなる、伸縮性を有する経編地を、編み方向に対し３度以上かつ１７７度以下の角度で裁断し、裁断されたままの状態で縁始末不要な縁が衣料の縁部の少なくともいずれかとなる様、その裁断されたままの状態で縁始末不要な縁を含んだ部片を含んで形成された衣料である。
【０００６】
本発明の衣料は、裁断したままで縁始末不要な布部片から形成されるため、縁の部分が厚くならず、裾あるいはウェストラインが外衣に反映して段差となって現れることなどのない縁始末不要な縁を有する衣料とすることができ、かつ衣料の上下のいずれか又は両縁部を縁始末不要な縁とでき、衣料設計の自由度が向上し、かつ衣料の前記縁部がカーリングすることなく、身体にフィットし、伸縮性を有し、着用感の良い衣料を提供出来る。
【発明を実施するための最良の形態】
【０００７】
本発明の衣料においては、少なくとも非弾性糸が１×１トリコット組織であり、弾性糸がルーピング組織からなる、伸縮性を有する経編地を、編み方向に対し３度以上かつ１７７度以下の角度で裁断することにより、裁断されたままの状態でほつれの生じない縁始末不要な縁を形成することができ、裁断されたままの状態でほつれの生じない縁始末不要な縁が衣料の縁部の少なくともいずれかとなる様、その裁断されたままの状態で縁始末不要な縁を有する部片を含んで形成すると、衣料縁部を、縁部始末がなく、縁部がフラットで段差のない衣料とすることができる。しかも衣料の前記縁部がカーリングすることなく、身体にフィットし、伸縮性を有し、着用感の良い衣料を提供出来る。
【０００８】
（２）前記（１）項に記載の衣料においては、前記経編地が、非弾性糸と弾性糸が同行する1×１トリコット組織で、非弾性糸と弾性糸の両方が開き目である経編地からなることが好ましい。
【０００９】
（３）前記（１）項に記載の衣料においては、前記経編地が、非弾性糸と弾性糸が逆行する1×１トリコット組織で、非弾性糸と弾性糸の少なくとも一方が閉じ目である経編地からなることが好ましい。
【００１０】
（４）前記（１）項に記載の衣料においては、前記経編地が、非弾性糸と弾性糸が逆行する1×１トリコット組織で、非弾性糸と弾性糸の両方が閉じ目である経編地からなることが好ましい。
【００１１】
（５）前記（１）項に記載の衣料においては、弾性糸の組織がハーフ組織であることが好ましい。
【００１２】
（６）前記（１）項に記載の衣料においては、弾性糸の組織がアトラス組織であることが好ましい。
【００１３】
（７）前記（５）項又は（６）項に記載の衣料においては、非弾性糸と弾性糸の少なくとも一方が閉じ目である経編地からなることが好ましい。
【００１４】
（８）前記（５）項又は（６）項に記載の衣料においては、非弾性糸と弾性糸の両方が閉じ目である経編地からなることが好ましい。
【００１５】
（９）前記（５）項又は（６）項に記載の衣料においては、非弾性糸が綿糸であることが好ましい。
【００１６】
（１０）前記（５）項に記載の衣料においては、非弾性糸が綿糸であることが好ましい。
【００１７】
（１１）前記（５）項に記載の衣料においては、非弾性糸が綿糸で、非弾性糸と弾性糸の少なくとも一方が閉じ目である経編地からなることが好ましい。
【００１８】
（１２）前記（５）項に記載の衣料においては、非弾性糸が綿糸で、非弾性糸と弾性糸の両方が閉じ目である経編地からなることが好ましい。
【００１９】
（１３）前記（１）項に記載の衣料においては、前記部片が、下記（Ａ−１）、（Ａ−２）からなる群（Ａ）から選ばれた少なくとも1種の素材と（Ａ−１）、（Ａ−２）以外の他の布からなる素材を接合して積層した部片からなることが好ましい。
（Ａ−１）非弾性糸と弾性糸とが同行する共に１×１トリコット組織で、非弾性糸と弾性糸が共に閉じ目である経編地。
（Ａ−２）非弾性糸と弾性糸とが同行する共に１×１トリコット組織で、非弾性糸と弾性糸のどちらか一方が閉じ目、他方が開き目である経編地。
【００２０】
（１４）前記（１３）項に記載の衣料においては、他の布からなる素材が、下記（Ｂ−１）〜（Ｂ−４）からなる群（Ｂ）から選ばれた少なくとも1種の素材であることが好ましい。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
【００２１】
（１５）前記（１）項に記載の衣料においては、前記部片が、下記（Ｂ−１）〜（Ｂ−４）からなる群から選ばれた少なくとも１種の素材を複数枚接合して積層した部片からなることが好ましい。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
【００２２】
（１６）前記（１４）項に記載の衣料においては、素材（Ａ）が（Ａ−１）であり、素材（Ｂ）が（Ｂ−１）であることが好ましい。
【００２３】
（１７）前記（１６）項に記載の衣料においては、（Ｂ−１）の非弾性糸が綿であり、且つ非弾性糸と弾性糸が共に閉じ目であることが好ましい。
【００２４】
（１８）前記（１）〜（１７）項のいずれかに記載の衣料においては、前記部片の衣料における上縁あるいは下縁の少なくとも一方が、裁断されたままの状態で縁始末不要な縁からなり、当該縁始末不要な縁が編み方向に対して、１０〜１２０度の角度で裁断されていることが好ましい。
【００２５】
（１９）前記（１）〜（１７）項のいずれかに記載の衣料においては、前記部片の衣料における上縁および下縁の両方が、裁断されたままの状態で縁始末不要な縁からなり、当該縁始末不要な縁が編み方向に対して、１０〜１２０度の角度で裁断されていることが好ましい。
【００２６】
（２０）前記（１）〜（１９）項のいずれかに記載の衣料においては、前記部片が、衣料の上下方向に連続した経編地からなることが好ましい。
【００２７】
（２１）前記（１）〜（２０）項のいずれかに記載の衣料においては、前記部片の衣料における上縁あるいは下縁の少なくとも一方が、裁断されたままの状態で縁始末不要な縁からなり、当該縁始末不要な縁が曲線に裁断されていることが好ましい。
【００２８】
（２２）前記（１）〜（２０）項のいずれかに記載の衣料においては、前記部片の衣料における上縁および下縁の両方が、裁断されたままの状態で縁始末不要な縁からなり、当該縁始末不要な縁が曲線に裁断されていることが好ましい。
【００２９】
（２３）前記（１）〜（２１）項のいずれかに記載の衣料においては、前記部片の衣料における上縁あるいは下縁の少なくとも一方が、裁断されたままの状態で縁始末不要な縁からなり、当該縁始末不要な縁が複数の曲線のある波形状であることが好ましい。
【００３０】
（２４）前記（１）〜（２２）項のいずれかに記載の衣料においては、前記部片の衣料における上縁および下縁の両方が、裁断されたままの状態で縁始末不要な縁からなり、当該縁始末不要な縁が複数の曲線のある波形状であることが好ましい。
【００３１】
（２５）前記（１）〜（２４）項のいずれかに記載の衣料においては、前記部片の衣料における上縁および下縁の両方の縁が、裁断されたままの状態で縁始末不要な縁からなり、上縁および下縁が相互に非平行であることが好ましい。
【００３２】
（２６）前記（１）〜（２５）項のいずれかに記載の衣料においては、前記部片の衣料における上縁および下縁の両方の縁が、裁断されたままの状態で縁始末不要な縁からなり、上縁の縁の形状と、下縁の縁の形状が異なっていることが好ましい。
【００３３】
（２７）前記（１）〜（２６）項のいずれかに記載の衣料においては、衣料がボトム衣料であり、前記部片の裁断されたままの状態で縁始末不要な縁が、ウェストもしくは裾の少なくとも一方を形成することが好ましい。
【００３４】
（２８）前記（１）〜（２６）項のいずれかに記載の衣料においては、衣料がボトム衣料であり、前記部片の裁断されたままの状態で縁始末不要な縁が、ウェストと裾の両方を形成することが好ましい。
【００３５】
（２９）前記（１）〜（２６）項のいずれかに記載の衣料においては、衣料がブラジャー、もしくは水着あるいはレオタードのトップスであり、前記部片の裁断されたままの状態で縁始末不要な縁が、バック布の上縁又は下縁の少なくとも一方の縁を形成することが好ましい。
【００３６】
（３０）前記（１）〜（２６）項のいずれかに記載の衣料においては、衣料がブラジャー、もしくは水着あるいはレオタードのトップスであり、前記部片の裁断されたままの状態で縁始末不要な縁が、バック布の上縁及び下縁の両方の縁を形成することが好ましい。
【００３７】
（３１）前記（２７）項に記載の衣料においては、前記部片の裁断されたままの状態で縁始末不要な縁が、編み方向に対して、２０〜８０度の角度で裁断されていることが好ましい。
【００３８】
（３２）前記（２８）項に記載の衣料においては、前記部片の裁断されたままの状態で縁始末不要な縁が、共に編み方向に対して、２０〜８０度の角度で裁断された縁であることが好ましい。
【００３９】
（３３）前記（２９）〜（３０）項のいずれかに記載の衣料においては、バック布を形成する前記部片の裁断されたままの状態で縁始末不要な縁が、編み方向に対して１０〜９０度の角度で裁断されていることが好ましい。
【００４０】
（３４）前記（２９）〜（３０）項のいずれかに記載の衣料においては、バック布を形成する前記部片の裁断されたままの状態で縁始末不要な縁が、編み方向に対して７５〜９０度の角度で裁断されていることが好ましい。
【００４１】
（３５）前記（１）〜（３４）項のいずれかに記載の衣料においては、前記部片が、前記部片を構成する前記非弾性糸と弾性糸とからなる地編組織に、更に柄糸となる非弾性糸がジャカード制御により編みこまれて、ジャカード柄模様が形成されていることが好ましい。
【００４２】
（３６）前記（３５）項に記載の衣料においては、地編組織を形成する弾性糸が１×１トリコット組織であり、地編組織を形成する非弾性糸とジャカード制御される柄糸となる非弾性糸の少なくともいずれか一方が、弾性糸と同行する１×１トリコット組織となっており、柄糸においてジャカード柄模様を形成する部分が、１×１トリコット組織以外の組織となっていることが好ましい。
【００４３】
（３７）前記（３５）項に記載の衣料においては、地編組織を形成する弾性糸が１×１トリコット組織であり、地編組織を形成する非弾性糸とジャカード制御される柄糸となる非弾性糸のいずれか一方が、弾性糸と同行する１×１トリコット組織であり、他方の非弾性糸が、弾性糸と逆行する１×１トリコット組織であり、柄糸においてジャカード柄模様を形成する部分が、１×１トリコット組織以外の組織となっていることが好ましい。
【００４４】
（３８）前記（３５）項に記載の衣料においては、地編組織を形成する非弾性糸が地編組織を形成する弾性糸と逆行する１×１トリコット組織であり、ジャカード制御される柄糸となる非弾性糸が、地編組織を形成する弾性糸と同行する組織で、柄糸においてジャカード柄模様を形成する部分が、１×１トリコット組織以外の組織となっていることが好ましい。
【００４５】
（３９）前記（１）項に記載の衣料においては、前記部片が、下記（Ａ−１）、（Ａ−２）からなる群から選ばれた少なくとも1種の素材からなる部片と前記（３５）、（３６）、（３７）、（３８）項のいずれかに記載のジャカード柄模様が形成されている部片からなる素材を接合して積層した部片からなることが好ましい。
（Ａ−１）非弾性糸と弾性糸とが同行する共に１×１トリコット組織で、非弾性糸と弾性糸が共に閉じ目である経編地。
（Ａ−２）非弾性糸と弾性糸とが同行する共に１×１トリコット組織で、非弾性糸と弾性糸のいずれか一方が閉じ目、他方が開き目である経編地。
【００４６】
（４０）バック布が、前記（１３）〜（１７）、（３９）項のいずれかに記載の部片を用いたバック布である前記（２９）、（３０）、（３３）、（３４）項のいずれかに記載の衣料。
【００４７】
（４１）前記（１）〜（４０）項のいずれかに記載の衣料においては、前記部片が、弾性糸による直線状の伸縮パワーの切替え部位を有していることが好ましい。
【００４８】
（４２）前記（１）〜（４１）項のいずれかに記載の衣料においては、衣料が、身体に密着する衣料であることが好ましい。
【００４９】
本発明の衣料において、裁断されたままの状態で縁始末不要な縁は、前述した糸抜きなどの方法で形成された縁始末不要な縁ではなく、裁断されたままの状態で縁始末不要な縁となる経編地を用いた裁断されたままの縁である。このように裁断されたままの状態でも、その裁ち端（裁断されたままの縁）が縁始末不要な縁となるような生地としては、少なくとも非弾性糸が１×１トリコット組織であり、弾性糸はルーピング組織からなる伸縮性を有するトリコット編地などであれば良く、弾性糸はルーピングのトリコット組織であれば、ハーフ組織、アトラス組織などの１×１組織（デンビ組織）ではない組織でも良い。
具体的には、次に示すような編み組織を有する生地を用いることができるが、特に以下のもののみに限定されるものではなく、その裁ち端（裁断されたままの縁）が解れずに縁始末不要な縁となるような生地であれば本発明の範囲において具体的に記載された編組織以外の他の編み組織を有する生地を用いることを除外するものではない。
【００５０】
本発明で用いる裁断されたままの状態で縁始末不要な縁を有する部片を構成する編地は、例えば、（１）非弾性糸と弾性糸とを同行させた１×１トリコット組織であって、かつ各編針において非弾性糸と弾性糸の両方が開き目により編成された伸縮性を有する経編地からなる。編糸に非弾性糸と弾性糸とを用いることによって適度の伸縮性が付与されている。あるいは、（２）非弾性糸と弾性糸とを逆行させた１×１トリコット組織であって、かつ各編針において非弾性糸と弾性糸のうちの少なくとも１方が閉じ目により編成された伸縮性経編地からなる。編糸に非弾性糸と弾性糸とを用いることによって適度の伸縮性が付与されている。非弾性糸と弾性糸を１×１の編み組織とし、且つ、各編針において非弾性糸と弾性糸のうちの少なくとも１方を閉じ目により編成することにより、編目の安定、裁断されたままの縁のほつれの防止を達成できる。非弾性糸と弾性糸の両方を閉じ目により編成してもよい。
【００５１】
また、前記部片の編地としては、（３）非弾性糸が１×１トリコット組織（デンビ組織）で、弾性糸がハーフ組織であるものも好ましい。
また、前記部片の編地としては、（４）非弾性糸が１×１トリコット組織で、弾性糸がアトラス組織であるものも好ましい。
前記（３）と（４）の編地においては、非弾性糸と弾性糸の、少なくとも一方が閉じ目であることが好ましく、非弾性糸と弾性糸の両方が閉じ目である経編地が裁断されたままの縁のほつれの防止が良好でありより好ましい。
非弾性糸として綿糸を用いると、肌触りや吸汗性などの点で好ましいが、非弾性糸として綿糸を用いる場合には、上記（３）ないし（４）の組織の縦編地を用いることが、裁断されたままの縁のほつれの防止が良好であり好ましく、特に、上記（３）の組織とすることがより好ましい。綿糸を用いる場合にはナイロン糸やポリエステル糸を用いた場合に比べて裁断されたままの縁のほつれが生じやすくなる傾向になるが、弾性糸を上記の如く、ハーフ組織やアトラス組織、特に好ましくはハーフ組織にすることにより、弾性糸の引き締めパワーが大きくなり、非弾性糸としてほつれの生じやすい傾向にある綿糸を用いても、裁断されたままの縁のほつれを効果的に防止することができ好ましい。このように非弾性糸として綿糸を用いる場合においては、非弾性糸と弾性糸の少なくとも一方が閉じ目とすることが好ましく、非弾性糸と弾性糸の両方が閉じ目である経編地を用いることが、裁断されたままの縁のほつれをより一層効果的に防止することができより好ましい。
【００５２】
また、本発明で用いる裁断されたままの状態でほつれの生じにくい縁を有する前記部片の編地としては、上述したような非弾性糸と弾性糸を組み合せた特定の編組織の編地を用いることができるが、仮に、かかる編地を「地編」と称するとすれば、かかる地編に、更にジャカード制御により柄糸となる非弾性糸を編み込むことによって、小柄模様などの適宜のジャカード柄模様を形成することができる。ジャカード制御により編み込む柄模様を形成するための非弾性糸を柄糸と称することにすると、模様を形成したい部分において、柄糸を、地編の編組織と異なる組織で編むことによりジャカード柄模様などを形成できる。柄模様を出さない部分は、例えば地編の非弾性糸または弾性糸と同行させて同じ組織で編めばよい。例えば、柄を出したい部分の柄糸は鎖編とすることが好ましいが、鎖編に限定されず、地編が弾性糸と非弾性糸が同行する１×１のトリコット組織であれば、柄を出したい部分の柄糸はそのシンカーループの方向が地編組織のシンカーループの方向と逆向きの１×１のトリコット組織としたり、ハーフ組織とするなど、地編組織と異なる編組織を適宜選定して柄模様が形成できればよい。
【００５３】
好ましいジャカード柄模様の形成例としては、例えば次の（ａ）〜（ｃ）のようなものが挙げられる。
（ａ）地編組織を形成する弾性糸が１×１トリコット組織であり、地編組織を形成する非弾性糸とジャカード制御される柄糸となる非弾性糸の少なくともいずれか一方が、弾性糸と同行する１×１トリコット組織となっており、柄糸においてジャカード柄模様を形成する部分が、１×１トリコット組織以外の組織となっている経編地からなる部片。
このように、ジャカード制御される柄糸となる非弾性糸は、弾性糸と同行する１×１トリコット組織となる箇所は、ジャカード柄模様を形成する部分以外の箇所となる。このようにすることにより、柄模様と柄模様の間が柄で連続していない複数の小柄模様を形成することもできる。以下の、（ｂ）、（ｃ）についてもほぼ同様に柄模様と柄模様の間が柄で連続していない複数の小柄模様を形成することもできる。もちろん、一部、小柄と他の小柄とが連続している柄模様も形成できる。
（ｂ）地編組織を形成する弾性糸が１×１トリコット組織であり、地編組織を形成する非弾性糸とジャカード制御される柄糸となる非弾性糸のいずれか一方が、弾性糸と同行する１×１トリコット組織であり、他方の非弾性糸が、弾性糸と逆行する１×１トリコット組織であり、柄糸においてジャカード柄模様を形成する部分が、１×１トリコット組織以外の組織となっている経編地からなる部片。
（ｃ）地編組織を形成する非弾性糸が地編組織を形成する弾性糸と逆行する１×１トリコット組織であり、ジャカード制御される柄糸となる非弾性糸が、弾性糸と同行する組織で、柄糸においてジャカード柄模様を形成する部分が、１×１トリコット組織以外の組織となっている経編地からなる部片。
上記（ａ）〜（ｃ）などで説明した様に、ジャカード柄模様を有するジャカード経編地の場合は、非弾性糸は少なくとも２つの筬に通糸され、同種、異種と問わず、２種類(２本)の非弾性糸が使われる。少なくとも1方の非弾性糸を弾性糸と同行する１×１トリコット組織とすることで、裁断されたままの縁部のほつれを生じにくくしている。さらに、他方の非弾性糸は弾性糸と逆行する１×１トリコット組織とすることで、編地の強度が上がり、特に引き裂き強度（生地が縁部から２つに分断される様に、裂けること）を向上させることができ好ましい。弾性糸と同行、逆行させる非弾性糸は、地編部分を形成する非弾性糸が弾性糸と同行し、ジャカードを形成する非弾性糸が弾性糸と逆行しても、地編部分を形成する非弾性糸が弾性糸と逆行し、ジャカードを形成する非弾性糸が弾性糸と同行しても、いずれでもよい。言い換えれば、非弾性糸同士が逆行の関係になっているのが上記で説明した態様である。
また、弾性糸、地編とジャカード柄を形成する２つの非弾性糸、全てが同行する１×１トリコット組織とすることも可能である。この場合、裁断されたままの縁部のほつれにくさという点で上記に挙げた部片より優れている。引き裂き強度の点では、上記のようにいずれかに逆行部分がある素材が優れている。
【００５４】
これらジャカード柄模様が形成されている経編地からなる部片は、ジャカード制御（ジャカード制御機構を有する経編機）を用いれば、部分的に編み組織を地編組織と異なる組織に変えることができる。ジャカード柄模様としては小柄模様が好適に用いられ、特に限定するものではないが、例えば花柄などの植物柄やその他の装飾柄が挙げられる。大きさも特に限定するものではないが、最大長部分の長さが１０ｃｍ以下、より好ましくは５ｃｍ以下のような小さい柄が好ましい。
【００５５】
以上説明したような裁断されたままの状態で縁始末不要な縁を有する部片を形成する１×１トリコット組織、ハーフ組織、アトラス組織などはトリコット機でも、ラッシェル機でも編むことが出来る。前述のようにジャカード柄を更に付与する場合には、これらにジャカード制御機構がついたものを用いればよい。
【００５６】
これらの編組織の経編地を、編み方向と平行に裁断した場合は、ほつれが生じたり、カーリングが発生するが、編み方向に対し３度以上１７７度以下の角度で裁断し、その裁断端を衣料の縁部として使用すれば、裁断したままの状態でも縁部のほつれが生じず、かつカーリングが発生することなく、衣料縁部を身体にフィットさせることができる。
【００５７】
そして上記伸縮性経編地の中でも、下記の伸縮性たて編地が実用的で優れている。図１０に示した編地組織のように、非弾性糸４７と弾性糸４８が同行する１×１のトリコット組織で、非弾性糸４７と弾性糸４８のいずれもが開き目により編成されている伸縮性たて編地。矢印４９の方向は、編地の編み方向である。図１１に示した編地組織のように、非弾性糸５０と弾性糸５１が逆行する１×１のトリコット組織で、非弾性糸５０と弾性糸５１の両方が閉じ目により編成されている伸縮性たて編地。矢印５２の方向は、編地の編み方向である。図示していないが、非弾性糸と弾性糸が逆行し、非弾性糸と弾性糸のいずれか一方が閉じ目で編成、例えば非弾性糸が閉じ目により、弾性糸が開き目により、あるいは非弾性糸が開き目により、弾性糸が閉じ目により編成されている伸縮性たて編地も実用的で優れている。
【００５８】
また、図１２に示した編地組織は、非弾性糸６０が１×１のトリコット組織であり弾性糸６１がハーフ組織であって両方が閉じ目により編成されている伸縮性たて編地である。図１３は図１２に示した非弾性糸６０と弾性糸６１を重ねて示した編組織図である。矢印６２の方向は、編地の編み方向である。この組織は、前述したように、非弾性糸６０として綿糸を用いる場合に特に有用な編組織である。非弾性糸と弾性糸のいずれか一方が閉じ目で編成、例えば非弾性糸が閉じ目により、弾性糸が開き目により、あるいは非弾性糸が開き目により、弾性糸が閉じ目により編成されている伸縮性たて編地も使用可能である。
【００５９】
また、図１４に示した編地組織は、非弾性糸６５が１×１のトリコット組織であり弾性糸６６がアトラス組織（この場合、４コースアトラス）であり、非弾性糸６５は閉じ目により編成されている例である。図１５は図１４に示した非弾性糸６５と弾性糸６６を重ねて示した編組織図である。矢印６７の方向は、編地の編み方向である。
【００６０】
以上、上記に説明した部片は、必要に応じ、２枚またはそれ以上を重ねて積層し例えば樹脂接着剤などで接合して積層物として用いることも出来る。部片として複数枚の編地を積層して用いる場合には、通常、編地２枚を積層すれば充分であるが、必要に応じて３枚以上積層してもよい。ブラジャーのバック布、もしくはセパレートタイプの水着あるいはレオタードのトップスにおけるバック布などの素材として用いる場合には、このように複数枚の編地を積層した部片を用いることが好ましい。
【００６１】
上記のように接合して積層する場合の布地の組み合せとしては、例えば、次のような態様が挙げられる。
<１>下記（Ａ−１）、（Ａ−２）からなる群（Ａ）から選ばれた少なくとも1種の素材と（Ａ−１）、（Ａ−２）以外の他の布からなる素材を接合して積層した部片。
（Ａ−１）非弾性糸と弾性糸とが同行する共に１×１トリコット組織で、非弾性糸と弾性糸が共に閉じ目である経編地。
（Ａ−２）非弾性糸と弾性糸とが同行する共に１×１トリコット組織で、非弾性糸と弾性糸のどちらか一方が閉じ目、他方が開き目である経編地。
このように、ブラジャーのバック布などを形成する際、少なくとも（Ａ−1）、又は（Ａ−２）素材を含んだ積層部片を用いて形成すれば、裁断したままの縁部を縁部始末をすることなく衣料(バック布など)の縁部として使用しても、ほつれが生じることがない。
一方、（Ａ−1）、（Ａ−２）にこれら以外の素材を積層することによって、（Ａ−1）、（Ａ−２）の素材では実現困難な特性を付与するることも出来る。
この場合、他の布からなる素材は、通常、他の編組織の編物が用いられるが、下記（Ｂ−１）〜（Ｂ−４）からなる群（Ｂ）から選ばれた少なくとも1種の素材が好適である。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
これら以外の素材としては、非弾性糸と弾性糸がともにハーフ組織であるトリコット素材が挙げられる。素材の裁断縁を縁部始末を行わずに、衣料縁部に使う場合は、積層する素材は編糸がすべてルーピングされているトリコット素材が好ましい。
【００６２】
<２>下記（Ｂ−１）〜（Ｂ−４）からなる群から選ばれた少なくとも１種の素材を複数枚接合して積層した部片も用いることができる。
（Ｂ−１）非弾性糸が１×１トリコット組織で、弾性糸がハーフ組織である経編地。
（Ｂ−２）非弾性糸が１×１トリコット組織で、弾性糸がアトラス組織である経編地。
（Ｂ−３）非弾性糸と弾性糸とが同行する共に１×１トリコット組織で、非弾性糸と弾性糸が共に開き目である経編地。
（Ｂ−４）非弾性糸と弾性糸とが逆行する共に１×１トリコット組織で、非弾性糸と弾性糸が共に閉じ目である経編地。
これらのうちでも、上記<１>に挙げた組み合わせの内、素材（Ａ）が（Ａ−１）であり、素材（Ｂ）が（Ｂ−１）である組み合わせがより好ましい。この組み合せは、非弾性糸として綿糸などを用いる場合に、裁断されたままの縁のほつれの防止が良好でありより好ましい。
さらには、（Ａ−１）と（Ｂ−１）の組み合せを用いる場合には、（Ｂ−１）の非弾性糸として綿糸を用い、且つ（Ｂ−１）における非弾性糸と弾性糸が共に閉じ目であることが裁断されたままの縁のほつれの防止が良好でありより好ましい。しかもこの積層部片を用いる場合には、（Ｂ−１）が肌側になるように設計することが、肌触りや吸汗性などの点で極めて好ましい。
【００６３】
また、前述したジャカード柄模様を有する部片と、ジャカード柄模様を持たない部片とを用いて積層部片とする場合には、ジャカード柄模様を有する部片が衣類の表側になるように使用することが好ましい。
また、このように、ジャカード柄模様を有する部片と、ジャカード柄模様を持たない部片とを用いて積層部片とする場合には、ジャカード柄模様を持たない部片として、特に上述した（Ａ−1）又は（Ａ−２）の素材とすることが好ましく、かかる組み合せとすることにより、裁断したままの縁部を縁部始末をすることなく衣料（例えばブラジャーなどのバック布など）の縁部として使用しても、ほつれが生じることを防止でき好ましい。
また、積層する他方の編地を、ジャカードによる花柄などの装飾柄が編み込まれた素材とすることで、デザイン性が向上でき好ましい。（Ａ−1）や（Ａ−２）素材を肌側とし、ジャカード柄の編み込まれた素材を、外側とすれば、ほつれが生じず、かつデザイン的に優れた衣料とすることが可能となり好ましい。
【００６４】
積層部片を作成する場合には、予め複数枚の部片を重ねて接合し積層してから所望の形状に裁断してもよいし、予めそれぞれの部片を所定の同形状に裁断しておいて、それら複数枚を重ねて接合し積層してもよい。
いずれの場合も、接合する複数枚の部片は、同形状で接合積層されて、実質的に１枚の状態となる。よって部片に段差が生じない。また、１枚でもほつれの生じない編地を接合しているため、部片の縁部がさばけたり、糸端が突出することなく、縁部を綺麗に出来る。もちろん、引き裂き強度なども向上する。
「部片を複数枚接合して積層して形成されている」とは部片２枚又はそれ以上を重ね合わせて、簡単に剥がれないように接着して積層することを意味している。接着手段は特に限定するものではないが、熱融着性の樹脂などが接着剤として用いられる。接着剤は、多数の点状に点接着することが通気性の点で好ましい。
【００６５】
次に、使用する非弾性糸としては、伸縮性衣類の種類により異なるが、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はないが、一般にカバリングを行っていないポリウレタン弾性糸や当該弾性糸を非弾性糸でカバーしたカバリング糸等が使用できる。 カバリングを行っていない糸が、編密度を上げやすい。また、綿は肌触りがよく、吸汗性の点でも好ましい。
非弾性糸は、細い方が編目を高密度にしやすい。一方、細すぎると強度が弱くなってしまう。よって、３３〜１５４ｄｔｅｘが編地を高密度にしやすく、かつ安定し強度のある編み組織とすることができるので好ましい。非弾性糸は、より好ましくは３３〜８８ｄｔｅｘ、さらに好ましくは３３〜７７ｄｔｅｘ、更に一層好ましくは３３〜５５ｄｔｅｘとすれば、編地を高密度にでき、かつ安定し強度のある編み組織とすることができるので好ましい。綿糸を使う場合も、裁断されたままの状態の縁の部分がほつれないようにするためには、編み密度を高く編成できるようにすることが好ましく、したがって比較的細い綿糸を使用すれば、編み密度を高くしやすく好ましい。上記の場合において、綿糸としては５０番手かそれより細い綿糸を使用することが好ましく、より好ましくは７０番手かそれより細い綿糸を使用することが好ましい。通常、細ければ細いほど好ましいが、現在、市場で通常入手できる綿糸の細いものは１００番手程度である。従って綿糸を用いる場合には、５０〜１００番手の綿糸が好ましく用いられる。
【００６６】
弾性糸は、細い方が編地を高密度とできる。１５４ｄｔｅｘ以上となると、裁断したままで縁部始末不要な状態は実現できるが、伸度が少なくなり、身体に密着する衣料に使用するには１５４ｄｔｅｘ以下のものが好ましい。より好ましくは、１５〜１００ｄｔｅｘ、更に好ましくは３３〜８８ｄｔｅｘである。一方、１５４ｄｔｅｘよりも太い弾性糸は、伸度を要求しない衣料部位に使用することは可能である。また、２３１ｄｔｅｘ以上、３９６ｄｔｅｘまでの弾性糸でも、比較的柔らかいものであれば、裁断しても裁断したままの縁部がほつれにくい状態を実現できる。伸度は少ないが、伸度を要求しない部位には使用しうる。
【００６７】
そして、かかる伸縮性経編地においては、編み目の安定性、裁断されたままの縁のほつれ防止効果などを得る目的でプレセット処理または／およびヒートセット処理の施されているものが、好適である。処理温度は、装置の形状、プレセット処理時間、ヒートセット処理時間、素材の種類、編地の厚さなどにもよるが、１８０℃以上、好ましくは１８５℃以上の温度で、さらに確実に前記の効果を得るには１９０℃〜１９５℃の範囲で前記処理が施されていると、編地の一部が軟化し軽く編目が融着して編地の形態が安定し、裁断されたままの縁が特にほつれにくくなり好ましい。ヒートセット処理時間は、たとえば６〜８チャンバー構成（チャンバーの合計長さが約１５〜３０ｍ）の装置を用いた場合、１５〜４０ｍ／分程度、好ましくは１５〜２４ｍ／分程度がよい。
【００６８】
また、一般的な編地では仕上巾を１６０ｃｍ前後にするが、この伸縮性経編地では仕上巾を１００〜１４０ｃｍ、より具体的には、１１０ｃｍ、１２０ｃｍ、１３０ｃｍなどと短くし、可能な範囲で高密度に編成したものが、伸縮性衣類において編目の美しさを保持しつつ、その安定性を向上するために望ましい。使用する編糸の繊度等にもよるが、２．５４ｃｍ（１インチ）当たり５５ウエールを超える、好ましくは６０ウエールを超える、より好ましくは６５ウエールを超える、更に好ましくは７０ウエール以上の高密度に編地を編成し、編地のよこ伸びの割合を大きくすることが好ましい。ただし、非弾性糸としてセルロース糸や綿糸が編み込まれている場合はこの限りではない。
【００６９】
さらに、通常に較べて非弾性糸の使用糸量を増やし、長くし、且つ弾性糸は短くし、非弾性糸のランナー長を弾性糸のランナー長に比べてかなり長くした伸縮性経編地を好ましく使用する。具体的には、通常８０ｃｍ／ラック以下の非弾性糸のランナーを８５〜１２０ｃｍ／ラック、好ましくは９５〜１１５ｃｍ／ラックとし、通常６０ｃｍ／ラック以下の弾性糸のランナーを７０〜１１０ｃｍ／ラック、好ましくは７５〜１０５ｃｍ／ラックにして編成することが好ましい。
【００７０】
尚、ここで、「ランナー」とは、一定コース数（これを「ラック」と言い、通常、４８０コースを１ラックとする）を編むのに使用する糸の長さ（ｃｍ）を言う。
非弾性糸のランナーＡと弾性糸のランナーＢの比率（Ａ／Ｂ）は、好ましくは１.１５以上、より好ましくは１.２以上、更に好ましくは１.３以上とすることが好ましい。
尚、本発明で用いる裁断されたままの状態で縁始末不要な縁を形成しうる経編地は、レース生地ではない。
【００７１】
そして、伸縮性の経編地からなる前記部片の裁断されたままの状態で縁始末不要な縁の内、衣料における上縁又は下縁の少なくとも一方が前記部片の縁始末不要な縁からなる場合に、当該縁が、編み地の編み方向に対して３度以上１７７度の範囲の、編み方向に平行ではない角度で裁断されていれば、ほつれ及びカーリングを防止することができる。さらに好ましくは５〜１５０度、より好ましくは１０〜１２０度、更に好ましくは１５〜９０度、より好ましくは２０〜８０度、更に好ましくは３０〜６０度、より一層好ましくは４０〜５０度、最も好ましくは４５度前後（具体的には４３〜４７度）の角度で裁断された縁とすることが好ましい。
ここでいう、縁の裁断角度がどの角度をあらわすか、模式図である図１６を用いて説明する。
【００７２】
図１６中、Ａ−Ｂ−Ｃ−Ｄ−Ａで囲まれた部分が、裁断した部片であるとする。矢印Ｅ、Ｆ、Ｇはこの編地の編方向を示している。図１６のＸ側を「編始め側」と言い、図１６のＹ側を「編終り側」と言う。従って、縁Ａ−Ｄと、縁Ｃ−Ｄは、編始め側の縁と言うことになり、縁Ａ−Ｂと、縁Ｂ−Ｃは、編終り側の縁と言うことになる。
縁の裁断角度とは、「編始め側」の縁（Ａ−ＤやＣ−Ｄ）の場合には、縁のラインと編方向とがなす角度のうち、鋭角となる方の角度（α４やα３）を言う。また「編終り側」の縁（Ａ−ＢやＢ−Ｃ）の場合には、縁のラインと編方向とがなす角度のうち、鈍角となる方の角度（α１やα２）を言う。
以上が、本発明における縁の裁断角度の定義であるが、説明のしやすさから、例えば図１６において縁Ａ−Ｂラインの裁断角度をβ１の角度を用いて説明している場合があるが、これは、縁の裁断角度の上記定義から明白なように縁Ａ−Ｂラインの裁断角度としては「１８０度−β１度」のことであることは容易に理解される。
【００７３】
縁ラインの裁断角度を上述したような本発明の態様とすることにより、裁断されたままの状態で縁始末不要な縁の身体へのフィット性が向上し、当該縁部分が、着用者の身体外側にカールすることを防止でき好ましい。即ち、裁断されたままの状態で縁始末不要な縁を、衣料の上縁又は下縁、例えば、ウェストや裾などに有する衣料は、当該縁部分が、着用者の身体外側にカールする場合がある。このようなカールを生じないようにするには、上記縁始末不要な縁となる部分の裁断ラインを、当該編地の編み方向に対し上述の角度となるように裁断することが好ましい。編地の編み方向とは、編地を編む場合の糸の供給方向に相当する。上記において編み方向に対し２０〜８０度とは、編み方向のラインを仮定した場合にその左右のいずれか側に２０〜８０度の角度であること、言い換えれば編み方向の進行方向側に角の頂点側が向いている角の角度で、編み方向の進行方向ラインに対し±２０〜８０度の角度である。
【００７４】
尚、裁断されたままで縁始末不要な縁を、身体外側にカールすることを防止する必要性の少ない部位に使用する場合には、４５度を超えない範囲で裁断した縁を有する部片を使用することも好ましい。また、裁断縁を直線状ではなく、波形などに裁断した部片を使用すれば、縁部が身体外側にカールすることを防止でき好ましい。
【００７５】
衣類の部片を裁断する際に、複数の縁部を裁断したままで縁始末不要な縁とする場合、いずれかの箇所は、編み方向に対し３〜１７７度、例えば好ましい範囲の２０〜８０度では裁断できず、例えば編み方向に２０度未満の角度で裁断せざるを得ない箇所がある。その様な縁部は波形に裁断すれば、波形のカーブとなった縁部の裁断角度を例えば好ましい範囲の２０〜８０度とすることもでき、縁部全体を実質的に２０〜８０度で裁断した効果を得られる。例えば衣料の上下方向に連続した1枚の部片を用いてショートガードルのウェストラインと裾を共に裁断したままで縁始末不要な縁とする場合など、当該衣料のデザインの関係上、両方の縁部を編み方向に対して例えば編み方向に対し２０〜８０度で裁断できないこともあり、かかる場合に、一方の縁を波状の縁にすることは好ましい。
【００７６】
特にガードルやショーツなどのボトム衣料において、上記角度で裁断した部片の縁部を、ウェストや裾に使用することが、縁部のほつれやカーリングを防止できる。
【００７７】
ブラジャー、もしくは水着あるいはレオタードのトップスの場合は、バック布となる部片は、編み方向に対して直角もしくは平行に対し±２０度などの平行もしくは直角に近い角度で裁断を行うと、バック布の着用時に横方向に伸度を持たせることができ、着用感が向上するため好ましい。バック布はカップ脇から、フックアンドアイと呼ばれる後中心連結部に向かって幅が狭くなる略台形状であり、上縁と下縁は二等辺三角形の２つの斜辺の関係となっていることが多い。よってバック布の上縁と下縁の一方は、編み方向に対して好ましくは１０〜９０度、より好ましくは７５〜９０度で裁断する。一方の縁部の裁断角度をαとすると、他方の縁部は、（１８０−α）度に近い角度で裁断することとなる。例えば、直角に近い角度で裁断する場合は、バック布の下縁は１００度で裁断し、上縁は８０度で裁断する。編み方向に対し平行に近い角度で裁断する場合は、バック布の上縁は１５度で裁断し、下縁は１６５度で裁断することとなる。この様に、バック布の部片を、編み方向に対して平行もしくは直角に近い角度以外の角度で裁断しても、裁断形状を複数の曲線のある波形状とすれば、縁部のほつれやカーリングが生ぜず、しかもある程度の伸度を有するために、差し支えない。「複数の曲線のある波形状」とは、単純にどちらか一方向に凸の曲線または凹の曲線ではなく、凹凸のある波線のような曲線など、どちらか一方向に凸の曲線と凹の曲線の複数の曲線が合成されて形成された、いわば、波線のような曲線のことを意味している。「複数の曲線のある波形状」とは所謂「波形状」の曲線のことを意味しているのである。波形状は規則的な単純な曲線の繰り返しからなるものに限られず、不規則な波形状であってもよい。裁断したままの縁部の形状を波形状にする場合には、各波形状の曲線の曲率をあまり小さくしない方が引き裂き強度が低下せず、また、当該縁部のめくれなども生じにくくなり好ましい。
【００７８】
ブラジャー、もしくは水着あるいはレオタードのトップスのバック布の場合は、強度を持たせるために、２枚の編地を接着などの手法によって接合して積層することがある。この場合、２枚の編地を接合積層した後、所要の形状に裁断することもあれば、編地から２枚の同形状の部片を裁断した後に接合積層することもある。いずれの場合も、接合する２枚の部片は、同形状で接合積層されて、実質的に１枚の状態となる。よってバック布に段差が生じない。また、１枚でもほつれの生じない編地を接合しているため、バック布の縁部がさばけたり、糸端が突出することなく、縁部を綺麗に出来る。
【００７９】
上述したように、「同形状の前記部片を２枚接合して積層して形成されているバック布」は、積層する前にそれぞれの部片を同形状に切断しておいてもよし、予め編地を接合、積層しておいてから、所定の形状にカットしてもよい。
【００８０】
積層部片をブラジャーなどのバック布に用いる場合の、積層部片として好ましい態様は前述したものと同様である。
【００８１】
尚、縁部のラインが波形状である場合、裁断角度とは、編み方向と、裁断縁部の波形状の凹凸を平準化した場合の仮想直線との角度を指す。裁断縁部の波形状の凹凸を平準化した場合の仮想直線とは、縁始末不要な縁のスカラップ状の波の頂点を結ぶ接線ライン、あるいは、波を上下に分割する中央線である。不規則な波形状が複数あり、前記仮想直線が不明確な場合は、裁断角度とは、編み方向と、編地を裁断した部片もしくはそれを使用した衣料の縁部の、縁部ラインの長さ方向の両縁部を結んだ直線との角度である。縁部に現れる曲線が１つの場合は、裁断角度とは、編み方向と、その曲線の長さ方向の両端を結んだ直線の角度である。縁始末不要な縁のスカラップ状部分は波形形状の曲線であるが、その波の進行方向に相当する全体としての縁のラインは、仮想直線で現すことができる。光は波動するが、全体として直線で進行方向を描いているのと同じ扱い方である。
【００８２】
また、本発明の部片は、縁部を１つの円弧状の曲線とすること、複数の曲線のある波形状とすることが可能で、縁部を曲線、あるいは波形状に裁断することで、ほつれやカーリングを防止できる。ガードルやショーツなどのボトム衣料の場合、ウェストラインは下方に向かって窪む凹状の曲線であることが、カーリングを防止し、ウェストにフィットできる。ショートのガードル、ショーツの裾ラインは、全体として下方に向かって凸に突出する曲線であることが、カーリングを防止し、ヒップラインにフィットできる。あるいは裾ラインを波形状とすれば、カーリングを防止し、ヒップラインにフィットできる。あるいは、裾ラインを全体として（巨視的に）下方に向かって凸に突出する曲線とし、かつ微視的に波形状とすれば好ましい。ヒップ及び腹部脇に当接する部片が連続した部片（「連続した部片」とは複数のパーツが接ぎ合わされたものでなく、平面方向に1枚の連続した部片を意味する）からなる場合、ヒップ裾に当接するラインと、腹部脇に当接する縁部ラインで、縁部ラインの形状が変わっていても良い。例えば、ヒップ裾ラインは下方に向かって凸に突出する曲線もしくは、波形状、もしくは下方に向かって凸に突出する曲線でありかつ波形状であり、腹部脇に当接する縁部の裾ラインは、上方に向かって凸となる曲線であっても良い。
【００８３】
上記部片の上下縁部が当接する身体部位にフィットできるように、上縁の形状、下縁の形状を異なる形状としたり、上縁と下縁を非平行とする、あるいは上縁と下縁の形状を異ならせ、かつ上縁と下縁を非平行とすることによって、立体形状である身体にフィットさせることができ好ましい。
【００８４】
また、本発明においては、裁断されたままの状態で縁始末不要な縁を形成しうる生地に、部分的に弾性糸によって伸縮パワーが直線状に変化している領域を設けることも、体型補整機能を向上させることができ、好ましい。「伸縮パワーが直線状に変化している領域」とは、例えば、伸縮パワーの強い領域と弱い領域の境界が直線状であるような、伸縮パワーの強い領域と弱い領域（伸縮パワーの強い領域と弱い領域は２段階以上のグレードの伸縮パワーの異なる領域を有する場合も含み、また、伸縮パワーが連続的に変化してもよい）が形成されていることを意味する。
部分的に弾性糸によって伸縮パワーが直線状に変化している領域を設けるには、更に次の様な手法を適用してもよい。
（ａ）編み込む弾性糸の太さが異なる複数の領域を形成することにより伸縮パワーの異なる複数の領域を形成する方式。
（ｂ）編み込む弾性糸の本数が異なる複数の領域を形成することにより伸縮パワーの異なる複数の領域を形成する方式。
（ｃ）前記（ａ）と（ｂ）の適宜の組み合せにより伸縮パワーの異なる複数の領域を形成するする方式。
【００８５】
尚、更に、第２の非弾性糸を編み込むか挿入することにより、伸縮パワーの異なる複数の領域の境界が直線状である複数の領域を形成することもできる。
ここにおいて、伸縮パワーが強いとは、緊締力が強く、伸びが少ないことを指す。
また、衣料の一部の部位に、従来法の糸抜きの手法により縁始末不要な縁となっている生地、あるいは縁始末が必要な生地（以下、この生地を、「本発明とは別の生地」と略称することがある）を用いてもよい。
衣料の縁部の全部、あるいはほとんどを無縫製など縁部始末を行わず表面がフラットな状態とすることが好ましいが、着用時にテンションのかかり易い箇所に強度を持たせるため、当該縁部を長さ０．５〜２ｃｍ程度縫合しても良い。例えば、ブラジャーのバック布上縁におけるカップワイヤーと隣接するバック布箇所、後中心のフックアンドアイと呼ばれる後中心連結部と隣接するバック箇所、ショートのガードルやショーツのクロッチ布との接合箇所付近などである。
【００８６】
本発明は、身体に密着する衣料において効果的である。本発明が適用される好ましい衣料としては、ショートガードル、ロングガードル、ショーツ、スパッツ、ブラジャー、水着、レオタード、ボディスリップ、ボディキャミソール、ボディースーツ、ボディテディなどが挙げられる。
【実施例１】
【００８７】
図１は本発明の裁断されたままの状態で縁始末不要な縁を有し且つ体形補整機能を有する衣料の一実施の形態例のセミロングタイプのガードルの背面側から見た斜視図、図２は図１に示したセミロングタイプのガードルの正面側から見た斜視図、図３は図１、図２に示したセミロングタイプのガードルの着用者の左側に相当する前脇−脇−ヒップ部−脚部充当部片１の裁断ラインを編地上に示した平面図及びクロッチ部片の平面図である。
図１〜図３において、１が前脇−脇−ヒップ部−脚部をカバーする前脇−脇−ヒップ部−脚部充当部片であり、ガードルの上下方向に連続し、表面に段差のない１枚の部片となっている。６は腹部をカバーする腹部充当部片であり、ガードルの上下方向に連続し、表面に段差のない１枚の部片からなっている。左右の前脇−脇−ヒップ部−脚部充当部片１は、脚部を除いて後中心の縫合ライン４で相互に縫合されており、前脇−脇―ヒップ部−脚部充当部片１の前側の側縁は、腹部充当部片６の側縁と縫合ライン５で互いに縫合されている。図１などの背面側から見た斜視図では、どのあたりから脚部なのかわかりにくいので、仮想点線８を図中に示し、およそ仮想点線８より下側が脚部であることが分かるようにした。従って、仮想点線８より上側の縫合ライン４が後中心の縫合ラインであり、仮想点線８より下側が左右両足に分かれて形成された脚部である。
【００８８】
図３において、生地１１中に示されたラインＡ−Ｂ−Ｃ−Ｄ−Ｅ−Ｆ−Ｇ−Ａはこのガードルの脇から後ろ及び脚部に用いられる着用者の左側半分の部片を得るための前脇−脇―ヒップ部−脚部充当部片１の裁断ラインを示したものである。また、１０はクロッチ部片であり、前脇−脇―ヒップ部−脚部充当部片１と同じ生地を用いても良いが、異なる生地を用いても良く、クロッチ部片の素材は、従来よりガードルのクロッチ部片に用いられている各種のものが使用できる。クロッチ部片１０は、股部になり図１、２では表示されていない。
【００８９】
図示していないが、前脇−脇―ヒップ部−脚部充当部片１の右側半分の部片の形状は、左側半分の部片の形状と左右線対称となる。Ａ−Ｂラインは図１の腹部充当部片６と縫合され、Ｑ−ＣラインはＥ−Ｄラインと縫合されて左脚部を形成し、Ｇ−Ｆラインは図示していない前述した右側半分の部片の同様な部分と縫合されて後中心の縫合ライン４を形成することになる。クロッチ部片１０のＫ−Ｌラインは腹部充当部片６の下縁に縫合され、Ｌ−Ｉラインは部片１のＢ−Ｑラインと縫合され、Ｈ−Ｉラインは部片１のＦ−Ｅラインと縫合される。図示していない前述した右側半分の部片１の縫製も左右対象であるので同様である。かくして図１〜図２に示したガードルを作成することができる。他の実施の形態例のガードルもほぼ同様な縫製により形成される。
【００９０】
図１〜図３に示したガードルにおいては、前脇−脇―ヒップ部−脚部充当部片１として、裁断されたままの状態で縁部が縁始末不要な部片が用いられている。
前脇−脇−ヒップ部−脚部充当部片１を構成する経編地の編み方向は、矢印９の矢印が示す方向である。
【００９１】
前脇−脇−ヒップ部−脚部充当部片１は、図１１で説明したようなナイロン糸とポリウレタン糸とを逆行させた１×１編み組織で、弾性糸、非弾性糸共に閉じ目で編まれている。４４ｄｔｅｘのナイロン糸と７７ｄｔｅｘのポリウレタン糸によって、編まれ、１インチ（２．５４ｃｍ）当たり７０ウェールの編み密度で編成されている。
そしてこの実施の形態において、前脇−脇−ヒップ部−脚部充当部片１の裁断されたままの状態で縁始末不要な縁が、２の裾ラインの縁と３のウェストラインの縁の部分を形成している。裾ライン２は波形になっており、裾ライン２の方向は当該波形の各頂点を結ぶ直線と同じ方向、すなわち矢印１２（図３参照）で示された方向である。裾ラインは、編み方向に対して角βが約３０度の角度で裁断されている。全体として約３０度で裁断されているが、裾ライン全体を複数の波形状に裁断しており、波形状箇所は３０度を越える角度で裁断されている。
【００９２】
ウェストライン３は、下側に向けて若干窪んだ曲線に裁断されている。直線に裁断しても良い。ウェストラインの両端を結んだ仮想直線が編み方向９の方向に対し角αが３５度（従って、Ａ−Ｂの裁断角度は、１８０−３５＝１４５度）の角度で裁断されている。実際のウェストラインは、下側に若干窪んだ曲線であるため、実際の裁断角度角αは３５度（裁断角度１４５度）を前後する角度である。つまり、裾ライン２の方向とウェストライン３の方向は互いに非平行かつ異なる形状となっている（図１、図２ではわかりにくいので図３参照）。
【００９３】
尚、腹部充当部片６は、弾性糸と非弾性糸が逆行する１×１のトリコット組織で、弾性糸が開き目で非弾性糸が閉じ目の前述した編み組織の布で作成されていて、上側の縁７は裁断されたままの状態で縁始末不要な縁になっており、下側に向けて若干窪んだ曲線となっている。尚、直線状に裁断し、ウェストを形成しても良い。あるいは、腹部充当部片６は必要に応じ、他の縁始末の必要な生地を用いても良い。腹部充当部片６は４４ｄｔｅｘのナイロン糸と８８ｄｔｅｘのポリウレタン糸で編まれ、１インチ（２．５４ｃｍ）当たり６８ウェールの編み密度で編成されている。腹部充当部片６のウェストラインに当接する上縁７は、編み方向に対して４０度の角度で裁断されている。こうすることによって、ウェストと裾の衣料縁部を全て裁断したままで縁部始末を行っていない縁部とすることができ、かつ上下に連続した段差のない部片でガードルを形成しているため、縫製箇所を少なくし、段差の少ないガードルとできる。特に縁部の段差をなくすことができ、裁断角度を編み方向に対し３度以上、さらに裁断形状を曲線あるいは波形とすることにより、ウェストラインと裾が、裁断したままでもほつれが生じず、かつカーリングすることなく身体に密着し、ずれにくく、ウェストや裾が安定した位置に保持されやすくなり好ましい。腹部充当部片６や前脇−脇−ヒップ部−脚部充当部片１に部分的に更に弾性糸あるいは非弾性糸を編み込み又は挿入し、伸びの少ない部位を設けてもよい。
【００９４】
上述の様に、裾ライン２やウェストライン３は、裁断されたままの状態で縁始末不要な縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。前脇−脇−ヒップ部−脚部充当部片１および腹部充当部片６は、上記編み組織に限らず、裁断したままでほつれの生じないトリコット経編地であれば、他の編組織でも良い。
【実施例２】
【００９５】
図４は本発明の裁断されたままの状態で縁始末不要な縁を有し且つ体形補整機能を有する衣料の一実施の形態例のショートタイプのガードルの背面側から見た斜視図、図５は図４に示したショートタイプのガードルの正面側から見た斜視図、図６は図４、図５に示したショートタイプのガードルの着用者の左側に相当する前脇−脇−ヒップ部充当部片１５の裁断ラインを編地上に示した平面図である。
【００９６】
図４〜図６において、１５が前脇−脇―背面部をカバーする前脇−脇―ヒップ部充当部片で、上下方向に連続した段差のない１枚の部片である。１６は腹部をカバーする腹部充当部片であり、上下方向に連続した段差のない１枚の部片である。１７は前中心側裾部片であり、上下方向に連続した段差のない１枚の部片である。左右の前脇−脇―ヒップ部充当部片１５は、後中心の縫合ライン１８で相互に縫合されており、前脇−脇―ヒップ部充当部片１５の前側の側縁は、腹部充当部片１６および前中心側裾部片１７の側縁と縫合ライン１９で互いに縫合されている。
図６において、生地２０中に示されたラインＭ―Ｎ―Ｏ―Ｐ―Ｑ―Ｍはこのガードルの脇からヒップ部に用いられる着用者の左側半分の部片を得るための前脇−脇―ヒップ部充当部片１５の裁断ラインを示したものである。
【００９７】
図示していないが、前脇−脇―ヒップ部充当部片１５の右側半分の部片の形状は、左側半分の部片の形状と左右線対称となる。Ｍ−Ｎラインは図５の腹部充当部片１６および前中心側裾部片１７と縫合され、Ｐ−Ｑラインは図示していない前述した右側半分の部片の同様な部分と縫合されて後中心の縫合ライン１８を形成することになる。Ｏ―Ｐラインは、クロッチ部２１と縫合される。Ｎ−Ｏラインが、裾ラインを形成し、Ｑ−Ｍラインがウェストラインを形成する。図示していない前述した右側半分の部片１５の縫製も左右対象であるので同様である。かくして図４〜図５に示したガードルを作成することができる。
【００９８】
前脇−脇―ヒップ部充当部片１５および腹部充当部片１６、前中心側裾部片１７は裁断されたままで縁始末不要な縁を有する部片を用いている。前脇−脇―ヒップ部充当部片１５を構成する経編地の編み方向は、矢印１４の矢印が示す方向である。
【００９９】
前脇−脇―ヒップ部充当部片１５は、図１１で説明したようなナイロン糸とポリウレタン糸とを逆行させた１×１のトリコット組織で、弾性糸、非弾性糸共に閉じ目で、１インチ（２．５４ｃｍ）当たり７０ウェールの編み密度で編成されている。３３ｄｔｅｘのナイロン糸と７７ｄｔｅｘのポリウレタン糸で編まれている。そして前脇−脇―ヒップ部充当部片１５の裁断されたままの状態で縁始末不要な縁が、２２の裾ラインの縁と２３のウェストラインの縁の部分を形成している。裾ライン２２は波形になっており、裾ライン２２の方向は当該波形の各頂点を結ぶ直線と同じ方向、すなわち矢印１２で示された方向であり、編み方向１４とは５度の角度がついている。ウェストライン２３は、編み方向１４の方向に対し角αが約４０度の角度（裁断角度）で裁断されている。ウェストライン２３は、下方向に若干湾曲した曲線であるため、湾曲部分は４０度を前後する角度で裁断されている。いずれにしても、裾ライン２２とウェストライン２３は、非平行かつ異なる形状となっている。
【０１００】
裾ライン２２は、全体としては５度の角度で裁断（裁断角度は１８０−５＝１７５度）で裁断されているが、裾ライン全体を複数の波形のある波形状に裁断しているため、波形ラインは５度を越えた角度（裁断角度で言えば１７５度より小さい角度）で裁断されている。ウェストライン２３は、下方向に若干湾曲した曲線であり、ウェストラインの両端のＱとＭを結ぶ仮想直線が、当該編地の編み方向１４に対し、４０度の角度（裁断角度）で裁断された縁である。ウェストライン２３は、衣類下方向に若干湾曲した曲線であるので、実際の裁断角度は、４０度を前後する角度となる。つまり、上側の縁であるウェストライン２３と、下側の縁である裾ライン２２は、非平行となっている。
【０１０１】
腹部充当部片１６の上側の縁２４は前述したように、裁断されたままの状態で縁始末不要な縁としている。図１０で説明したような非弾性糸と弾性糸とを同行させた１×１トリコット組織で、弾性糸と非弾性糸が共に開き目で編まれた編地を用いている。腹部充当部片１６は４４ｄｔｅｘのナイロン糸と１５４ｄｔｅｘのポリウレタン糸を用い、１インチ（２．５４ｃｍ）当たり６５ウェールの編み密度で編まれている。編み方向に対し、４５度の角度で裁断されている。前中心側裾部片１７は、図１０で説明したような非弾性糸と弾性糸とを同行させた１×１トリコット組織で、弾性糸と非弾性糸が共に開き目で編まれた編地を用いている。３３ｄｔｅｘのナイロン糸と７７ｄｔｅｘのポリウレタン糸で編まれ、１インチ（２．５４ｃｍ）当たり７０ウェールの編み密度で編まれている。前中心側裾部片１７の裾ライン２５は裁断されたままの状態で縁始末不要な縁から形成されており、編み方向に対して約２５度で裁断している。また上方に向いて凹状に窪む湾曲した曲線となっている、湾曲部分は２５度を前後する角度で裁断されている。尚、裾ラインを直線ラインとしても良い。また、縁部が従来の糸抜きの方法で得られた縁始末不要な縁が形成されている編み物を用いてもよい。
【０１０２】
こうすることによって、ウェストと裾の衣料縁部を全て裁断したままで縁部始末を行っていない縁部とすることができ、かつ上下に連続した段差のない部片１５を用いることによりガードルを形成しているため、縫製箇所を少なくし、段差の少ない表面がフラットなガードルとできる。特に縁部の段差をなくすことができ、裁断角度を編み方向に対し３度以上（１８０−３＝１７７度以下）、さらに裁断形状を曲線あるいは波形とすることにより、ウェストラインと裾が、裁断したままでもほつれが生じず、かつカーリングすることなく身体に密着し、ずれにくく、ウェストや裾が安定した位置に保持されやすくなり好ましい。
【０１０３】
上述の様に、裾ライン２２、２５やウェストライン２３は、裁断されたままの状態で縁始末不要な縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。前脇−脇−ヒップ部充当部片１５および腹部充当部片１６および前中心側裾部片１７は、上記編み組織に限らず、裁断したままでほつれの生じないトリコット経編地であれば、他の編組織でも良い。
【実施例３】
【０１０４】
図１７は本発明の裁断されたままの状態で縁始末不要な縁を有する衣料の一実施の形態例のショーツの背面図、図１８は図１７に示したショーツの正面図、図１９は図１７、図１８に示したショーツの着用者の左側に相当する前脇腹−脇−ヒップ部充当部片７５の裁断ラインを編地上に示した平面図である。
【０１０５】
図１８〜図１９において、７５が前脇腹−脇―背面部をカバーする前脇腹−脇―ヒップ部充当部片で、上下方向に連続した段差のない１枚の部片である。７６は腹部と股部をカバーする腹部−クロッチ部充当部片であり、上下方向に連続した段差のない１枚の部片からなる。左右の前脇腹−脇―ヒップ部充当部片７５は、後中心の縫合ライン７８で相互に縫合されており、前脇腹−脇―ヒップ部充当部片７５の前側の側縁は、腹部−クロッチ部充当部片７６の側縁の一部と縫合ライン７９で互いに縫合されている。つまり本ショーツは、３枚の部片から形成されている。
図１９において、生地７０中に示されたラインＭ―Ｎ―Ｏ―Ｐ―Ｑ―Ｍはこのショーツの脇からヒップ部に用いられる着用者の左側半分の部片を得るための前脇腹−脇―ヒップ部充当部片７５の裁断ラインを示したものである。
【０１０６】
図示していないが、前脇腹−脇―ヒップ部充当部片７５の右側半分の部片の形状は、左側半分の部片の形状と左右線対称となる。Ｍ−Ｎラインは図１８の腹部−クロッチ部充当部片７６の一部と縫合され、Ｐ−Ｑラインは図示していない前述した右側半分の部片の同様な部分と縫合されて後中心の縫合ライン７８を形成することになる。Ｏ―Ｐラインは、腹部−クロッチ部充当部片７６のクロッチ後部８１と縫合される。Ｎ−Ｏラインが、裾ラインを形成し（Ｎ−ＯラインのうちＮ−Ｒラインが前裾ライン８４、Ｒ−Ｏラインが後裾ライン８２）、Ｑ−Ｍラインがウェストライン８３を形成する。図示していない前述した右側半分の部片７５の縫製も左右対象であるので同様である。かくして図１８〜図１９に示したショーツを作成することができる。
【０１０７】
前脇腹−脇―ヒップ部充当部片７５および腹部−クロッチ部充当部片７６は裁断されたままで縁始末不要な部片を用いている。前脇腹−脇―ヒップ部充当部片７５を構成する経編地の編み方向は、矢印７４の矢印が示す方向である。
【０１０８】
前脇腹−脇―ヒップ部充当部片７５および腹部−クロッチ部充当部片７６は、地編部分の編組織が、３３ｄｔｅｘのナイロン糸と７７ｄｔｅｘのポリウレタン糸とが共に閉じ目で同行する１×１のトリコット組織で、１インチ（２．５４ｃｍ）当たり６３ウェールの編み密度で編成されていて、ジャカード小柄模様（最長径４ｃｍの花柄模様）７７を形成するためのジャカード制御される柄糸には３３ｄｔｅｘのナイロン糸を用い、柄糸が柄模様を形成しない部分は弾性糸と逆行する閉じ目の１×１のトリコット組織とし、ジャカード小柄模様を発現させる部分は鎖編で編むことにより花柄模様７７を形成した。尚、ジャカード小柄模様を発現させる部分をアトラス編としてもよい。
【０１０９】
そして前脇腹−脇―ヒップ部充当部片７５の裁断されたままの状態で縁始末不要な縁が、８４の前裾と８２の後裾ラインの縁及び８３のウェストラインの縁の部分を形成している。後裾ライン８２は波形になっており、後裾ライン８２の方向は当該波形の各頂点を結ぶ直線と同じ方向、すなわち矢印７２で示された方向であり、編み方向７４とは５度の角度がついている。前裾ライン８４（Ｎ−Ｒ）は図１９に示したように、上に若干凸の不規則な形状の曲線状になっている。ウェストライン８３は、編み方向７４の方向に対し角αが３度の角度（裁断角度）で裁断されている。従って裾ライン８２とウェストライン８３は、非平行となっている。
【０１１０】
腹部−クロッチ部充当部片７６の上側の縁８５は前述したように、裁断されたままの状態で縁始末不要な縁としている。編地としては、上記前脇腹−脇―ヒップ部充当部片７５と同じ編地で同じジャカード花柄模様の形成された同一の編地を用いた。
【０１１１】
腹部−クロッチ部充当部片７６は、編方向や裁断縁の方向を図示していないが、腹部−クロッチ部充当部片７６の上側の縁８５が編方向に対し４５度の角度となるように裁断して用いた。
【０１１２】
こうすることによって、ウェストと裾の衣料縁部を全て裁断したままで縁部始末を行っていない縁部とすることができ、かつ上下に連続した段差のない部片でショーツを形成しているため、縫製箇所を少なし、段差の少ない表面がフラットな花の小柄模様入りショーツとすることができる。特に縁部の段差をなくすことができ、裁断角度を編み方向に対し３度以上（１８０−３＝１７７度以下）、さらに裁断形状を曲線あるいは波形とすることにより、ウェストラインと裾が、裁断したままでもほつれが生じず、かつカーリングすることなく身体に密着し、ずれにくく、ウェストや裾が安定した位置に保持されやすくなり好ましい。
【０１１３】
上述の様に、裾ライン８２、８４やウェストライン８３は、裁断されたままの状態で縁始末不要な縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。前脇腹−脇−ヒップ部充当部片７５および腹部−クロッチ部充当部片７６は、上記編み組織に限らず、裁断したままでほつれの生じないトリコット経編地であれば、他の編組織でも良い。
【実施例４】
【０１１４】
図７は本発明の裁断されたままの状態で縁始末不要な縁を有する衣料の一実施の形態例のブラジャーの主要部分の斜視図である。図７において、２６が伸縮性のバック布、３１が着用時に左右のバック布を連結するための連結部、２９が乳房カップ、３０がストラップである。伸縮性のバック布２６は、裁断されたままで縁始末不要な部片で、かつ上下方向に連続した１枚の部片を用い、形成されている。この部片を構成する経編地の編み方向は矢印３４の示す方向である。編み方向が、バック布の幅の細い方から幅の太い方に向かう方向とすれば、編み始め側で裁断することができるため、ほつれがより生じにくい。尚、図示していないが着用者の右側にあてがわれるバック布の編み方向は３４の矢印とは反対向きの方向になる。つまり、編み方向が、バック布の幅の細い方から幅の太い方に向かう方向となっている。
【０１１５】
バック布２６部片については、前記部片全体は３３ｄｔｅｘのナイロン糸と４４ｄｔｅｘのポリウレタン糸が、図１１で説明したようなナイロン糸とポリウレタン糸とを逆行させた１×１トリコット組織で、弾性糸と非弾性糸が共に閉じ目により編成されている。１インチ（２．５４ｃｍ）当たり６３ウェールの編み密度で編まれている。
【０１１６】
そして前記バック布２６の裁断されたままの状態で縁始末不要な縁は、バック布の下側の縁２８と上側の縁２７の部分である。下側の縁２８と上側の縁２７はいずれも複数の波形のある波形状になっている。波形状は、上側の縁２７と下側の縁２８で凹凸がほぼ同間隔、ほぼ同高さ、凹凸のいずれかの同じ方が上下でほぼ同箇所に現れる、すなわち上側の縁２７が上向きの凸状であれば、下側の縁２８は下向きの凸状、上側の縁２７が下向きの凹状であれば、下側の縁２８は上向きの凹状と、下側の縁２８と上側の縁２７が、バック布の上下方向を二分する中心ラインを基準にほぼ左右対称の、波形状となっている。尚、本実施例は、バック布２６がカップ部に連結し、土台の無いブラジャーとなっている。土台布のあるブラジャーで、バック布と土台布が連続した布からなる場合は、土台部以外のバック部において、バック布の上下方向を二分する中心ラインを基準にほぼ左右対称の、波形状であれば良い。
【０１１７】
バック布あるいは土台布の上下の縁始末不要な縁は、波形に限られず、直線状でも、波形以外の曲線状でもかまわない。また波形は、均等な波形でも、不均等な波形でもよい。また、上側の縁と下側の縁の形状が同じでも、形状が異なってもよい。バック布２６の下側の縁２８の縁ラインの方向は当該波形の各頂点を結ぶ直線と同じ方向、すなわち矢印３２で示された方向であり、編み方向とは６度の角度がつけられている。上側の縁２７の縁ラインの方向は、当該波形の各頂点を結ぶ直線と同じ方向、すなわち矢印３３で示された方向であり、編み方向とは６度の角度がつけらている。すなわち、バック布の上下の裁断されたままの状態で縁始末不要な縁を構成するラインは、相互に非平行とされている。尚、縁ラインが波形状となっているため、波形状箇所は、６度を越えた角度で裁断されている。尚、バック布は一番広い箇所で幅９ｃｍ、細い箇所で幅４ｃｍとした。
【０１１８】
従来のブラジャーのバック布においては、バック布２６の上下の縁に沿ってゴムテープが設けられていたが、本実施の形態例のブラジャーのバック布２６の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、かつ縁部がカーリングすることなく身体に密着し、運動時に生じるずれも最小限に防止し、着崩れも防止される。
【０１１９】
バック布に強度を持たせるため、前記上下方向に連続した部片２枚を樹脂などで接着して積層してもよい。前記部片の布１枚でも、バック布を形成することは可能であるが、本実施の形態例では、２枚の同形状の同じ部片を樹脂接着して使用した。２枚の部片を樹脂接着する際は、２枚の部片の編み方向が同じとなる様に重ねて接着すると、接着し易い。また、上下方向に連続した２枚の布を接着して積層した後、バック布部片を裁断すると、縁部が綺麗である。バック布が２枚を接着して形成された場合でも、２枚は接着されて一体となっており、バック布は、上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、１枚物でも、裁断縁部がほつれの生じない布であり、かつ縁部ほつれの生じない、形状、角度、に裁断しているため、上下縁部の裁ち端が綺麗で、糸が突出することがない。
【実施例５】
【０１２０】
図８は本発明の裁断されたままの状態で縁始末不要な縁を有する衣料の一実施の形態例のブラジャーの主要部分の斜視図である。図９は図８に示したブラジャーの着用者の左側に相当するバック布部片３５の裁断ラインを編地上に示した平面図である。図８において、３５が伸縮性のバック布、３８が土台部、３９が前中心部であり、４２が着用時に左右のバック布を連結するための連結部、４０が乳房カップ、４１がストラップ、４３は左右の前中心部の縫合箇所である。バック布部と土台部と前中心部は、連続した１枚の布から形成されている。伸縮性のバック布３５は、裁断されたままで縁始末不要な部片で、かつ上下方向に連続した布で形成されている。この部片を構成する経編地の編み方向は矢印４６（図９参照）の示す方向である。
【０１２１】
バック布３５部片については、前記部片全体は３３ｄｔｅｘのナイロン糸と４４ｄｔｅｘのポリウレタン糸が、ナイロン糸とポリウレタン糸とを逆行させた１×１トリコット組織で、弾性糸が開き目と非弾性糸が閉じ目により編成されている。１インチ（２．５４ｃｍ）当たり６３ウェールの編み密度で編まれている。
【０１２２】
そして前記バック布３５の裁断されたままの状態で縁始末不要な縁は、バック布の下側の縁３７と上側の縁３６の部分である。下側の縁３７と上側の縁３６はいずれも複数の波形のある波形状になっている。波形状は、上側の縁３６と下側の縁３７で凹凸が、上下で逆に、ほぼ同間隔、同高さで現れる、すなわち上側の縁３６が上向きの凸状であれば、下側の縁３７は上向きの凹状、上側の縁３６が下向きの凹状であれば、下側の縁３７は下向きの凸状と、下側の縁３７と上側の縁３６が、類似の波形状となり、バック布全体としても波形状となっている。尚、本実施例は、バック布３５と土台部と前中心部が連続した布から形成されている。土台部や前中心部の下側の縁は、波形状でも、直線形状でも良い。前中心部の伸びを止めたい場合は、前中心部の外側表面に伸度のない布を接合すれば良い。
【０１２３】
バック布３５の下側の縁３７の縁ラインの方向は当該波形の各頂点を結ぶ直線と同じ方向、すなわち矢印４５で示された方向であり、編み方向とは８５度の角度（裁断角度）がつけられている。上側の縁３６の縁ラインの方向は、当該波形の各頂点を結ぶ直線と同じ方向、すなわち矢印４４で示された方向であり、編み方向とは９５度（裁断角度）の角度がつけらている。すなわち、バック布の上下の裁断されたままの状態で縁始末不要な縁を構成するラインは、相互に非平行とされている。尚、縁ラインが波形状となっているため、下側の縁３７の縁ラインの波形状箇所は、８５度を前後する角度で、上側の縁３６の縁ラインの波形状箇所は、９５度を前後する角度で、裁断されている。土台部３８や前中心部３９は、８５度よりも小さい角度で裁断されている。土台部３８の波形状部分は、８５度前後の角度で裁断されている。
【０１２４】
５３は、ストラップ取り付け箇所であり、ストラップ取り付け箇所５３に、ストラップ取り付け環を通し、ストラップ取り付け箇所５３を２つに折り、先端をバック布３５に、逢着することによって、ストラップ４１を取付ける。ストラップ取り付け箇所５３は、バック布３５と連続しており、バック布と一体に裁断されている。縁部は、裁断したままで始末不要である。尚、バック布３５は一番広い箇所で幅９ｃｍ、細い箇所で幅４ｃｍとした。
【０１２５】
従来のブラジャーのバック布においては、バック布３５の上下の縁に沿ってゴムテープが設けられていたが、本実施の形態例のブラジャーのバック布３５の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、かつ縁部がカーリングすることなく身体に密着し、運動時に生じるずれも最小限に防止し、着崩れも防止される。
【０１２６】
尚、バック布に強度を持たせるため、前記上下方向に連続した部片２枚を樹脂などで接着し積層して用いてもよい。前記部片の布１枚でも、バック布を形成することは可能であるが、本実施の形態例では、２枚の同形状の同じ部片を樹脂接着積層して使用した。
【０１２７】
２枚の部片を樹脂接着する際は、２枚の部片の編み方向が同じとなる様に重ねて接着すると、接着し易い。また、上下方向に連続した２枚の布を接着積層した後、バック布部片を裁断すると、縁部が綺麗である。バック布が２枚を接着積層して形成された場合でも、２枚は接着積層されて一体となっており、バック布は、上縁と下縁が縁部始末不要な縁であり、かつ上下方向に連続した布から形成されており、上縁から下縁に至るまで表面がフラットで段差がなく、着用時に部分的な圧迫を生じることがない。１枚でも、裁断縁部がほつれの生じない布であり、かつ縁部ほつれの生じない、形状、角度、に裁断しているため、上下縁部の裁ち端が綺麗で、糸が突出することがない。
【実施例６】
【０１２８】
実施例４とほぼ同様にして、ブラジャーを作成した。実施例４と異なる点は、バック布に強度を持たせるため、バック布を形成する部片２枚を熱接着性樹脂で接着して積層する場合に、前記（Ｂ−１）に相当する部片２枚を積層した部片を用いた点が主として実施例４と異なる点である。
特に断らない限りは、その他の点は実施例４並びに図７と同様であるので、同一の点は重複詳細説明を省略する。
【０１２９】
バック布を形成する部片の前記（Ｂ−１）に相当する部片としては、非弾性糸は８０番手の綿糸を用い、弾性糸として７８dtexのポリウレタン糸（混率は、綿６５重量％、ポリウレタン３５重量％）を用い、図１２や図１３で説明したように、非弾性糸は１×１のトリコット組織（デンビ組織）、弾性糸はハーフ組織で非弾性糸と弾性糸の両方とも閉じ目で編成した経編地でウェールの編密度６５／インチ［１インチ（２．５４ｃｍ）当り６５ウェールの編密度］の編地を２枚の編地の編み方向が同じとなる様に重ねて樹脂接着してから、図７の２６で示されるバック布と同様の態様で同様の形状に裁断してバック布部片として用いた。
【０１３０】
従来のブラジャーのバック布においては、バック布２６の上下の縁に沿ってゴムテープが設けられていたが、本実施の形態例のブラジャーのバック布２６の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、かつ縁部がカーリングすることなく身体に密着し、運動時に生じるずれも最小限に防止し、着崩れも防止される。
【０１３１】
バック布は前記編地が２枚積層されているので、引き裂き強度が大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ縁部ほつれの生じない、形状、角度、に裁断しているため、上下縁部の裁ち端が綺麗で、糸が突出することがない。また、バック布部片として用いた編地は非弾性糸として綿糸を用いているが、バック布の上縁と下縁がほつれが生じにくく、綿糸を用いているので、肌触りが良好で、着用感が向上し、吸汗性、通気性が優れているという効果を奏する。綿糸使用の場合、通常、編密度を向上させにくい傾向になるが、弾性糸をハーフ組織とし、弾性糸の収縮度を、デンビ組織よりも上げることができた。そのことによって、素材全体としての編密度を上げ、必要な伸度を有しながらも、裁断されたままの状態で縁始末不要な縁が形成できる素材とすることができる。
【０１３２】
上記、実施例の別の態様として、上記で用いたと同じ編組織である非弾性糸が１×１のトリコット組織（デンビ組織）、弾性糸はハーフ組織で非弾性糸と弾性糸の両方とも閉じ目で編成した経編地でウェールの編密度６５／インチ［１インチ（２．５４ｃｍ）当り６５ウェールの編密度］の編地を２枚の編地の編み方向が同じとなる様に重ねて樹脂接着してから、実施例５及び図８、図９の３５で示されるバック布と同様の態様で同様の形状に裁断してバック布部片として用いても同様のほぼ同様の効果を奏することが確認された。
なお、上記実施例においては、前記（Ｂ−１）に相当する部片同士を２枚重ねて積層して用いたが、単層で用いるより２枚かさねてボンディング（樹脂接着）して使用することにより、さらに縁部はほつれにくくなることが確認された。尚、上記実施例においては、前記（Ｂ−１）に相当する部片の非弾性糸を綿糸としたが、ナイロン糸やポリエステル糸とすることも出来る。特に、非弾性糸として５５dtex以上の太さのナイロン糸やポリエステル糸を使用する場合には、弾性糸を上述のようにハーフ組織で編成することは、編地の編密度を高くし、裁断されたままの状態で縁始末不要な縁のほつれが生じやすくなることを防止することが出来、好ましい。
なお、これら２枚の編地の積層品を衣料を形成する部片として用いることは、ブラジャーのバック布だけではなく、ショーツ、ガードルなどのボトムや、ランジェリーや肌着を形成することも可能である。
【実施例７】
【０１３３】
実施例４とほぼ同様にして、ブラジャーを作成した。実施例４と異なる点は、バック布に強度を持たせるため、バック布を形成する部片２枚を熱接着性樹脂で接着して積層する場合に、前記（Ａ−１）に相当する部片１枚と前記（Ｂ−１）に相当する部片１枚の合計２枚を（Ｂ−１）に相当する部片が肌側になるようにして形成した２枚積層した部片を用いた点が主として実施例４と異なる点である。
特に断らない限りは、その他の点は実施例４並びに図７と同様であるので、同一の点は重複詳細説明を省略する。
【０１３４】
バック布を形成する部片の前記（Ａ−１）に相当する部片としては、非弾性糸としてナイロン糸４４dtex、弾性糸としてポリウレタン糸７８dtexを用い（混率はナイロン糸６５重量％、ポリウレタン糸３５重量％）、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、前記（Ｂ−１）に相当する部片としては、非弾性糸として８０番手の綿糸を用い、弾性糸として７８dtexのポリウレタン糸（混率は、綿６５重量％、ポリウレタン３５重量％）を用い、図１２や図１３で説明したように、非弾性糸は１×１のトリコット組織（デンビ組織）、弾性糸はハーフ組織で非弾性糸と弾性糸の両方とも閉じ目で編成した経編地でウェールの編密度６０／インチ［１インチ（２．５４ｃｍ）当り６０ウェールの編密度］の編地をそれぞれ用い、これら２枚の編地の編み方向が同じとなる様に重ねて樹脂接着してから、図７の２６で示されるバック布と同様の態様で同様の形状に裁断してバック布部片として用いた。
【０１３５】
従来のブラジャーのバック布においては、バック布２６の上下の縁に沿ってゴムテープが設けられていたが、本実施の形態例のブラジャーのバック布２６の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、かつ縁部がカーリングすることなく身体に密着し、運動時に生じるずれも最小限に防止し、着崩れも防止される。
【０１３６】
バック布は前記編地が２枚積層されているので、引き裂き強度が大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ縁部ほつれの生じない、形状、角度、に裁断しているため、上下縁部の裁ち端が綺麗で、糸が突出することがない。また、バック布部片として用いた（Ｂ−１）に相当する編地には非弾性糸として綿糸を用いているが、バック布の上縁と下縁がほつれが生じにくく、綿糸を用いている（Ｂ−１）に相当する編地が肌側になるように設計されているので、肌触りが良好で、着用感が向上し、吸汗性が優れているという効果を奏する。綿糸使用の場合、通常、編密度を向上させにくい傾向になるが、弾性糸をハーフ組織とし、弾性糸の収縮度を、デンビ組織よりも上げることができた。そのことによって、素材全体としての編密度を上げ、必要な伸度を有しながらも、裁断されたままの状態で縁始末不要な縁が形成できる素材とすることができる。
【０１３７】
上記、実施例の別の態様として、上記で用いたと同じ編組織である前記（Ａ−１）に相当する部片として、非弾性糸としてナイロン糸４４dtex、弾性糸としてポリウレタン糸７８dtexを用い（混率はナイロン糸６５重量％、ポリウレタン糸３５重量％）、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、また、（Ｂ−１）に相当する編地として上記と同様の非弾性糸として８０番手の綿糸、弾性糸として７８dtexのポリウレタン糸（混率は、綿６５重量％、ポリウレタン３５重量％）を用いて、非弾性糸が１×１のトリコット組織（デンビ組織）、弾性糸はハーフ組織で非弾性糸と弾性糸の両方とも閉じ目で編成した経編地でウェールの編密度６０／インチ［１インチ（２．５４ｃｍ）当り６０ウェールの編密度］の編地をそれぞれ用い、これら２枚の編地の編み方向が同じとなる様に重ねて樹脂接着してから、実施例５及び図８、図９の３５で示されるバック布と同様の態様で同様の形状に裁断してバック布部片として用いても同様のほぼ同様の効果を奏することが確認された。
尚、前記（Ｂ−１）に相当する部片に重ね合わせて積層する部片として上記実施例では前記（Ａ−１）に相当する部片を用いたが、前記（Ａ−１）に相当する部片の代わりに前記（Ａ−２）に相当する部片を用いてもよいことは前述したとおりである。
なお、これら２枚の編地の積層品を衣料を形成する部片として用いることは、ブラジャーのバック布だけではなく、ショーツ、ガードルなどのボトムや、ランジェリーや肌着を形成することも可能である。
【実施例８】
【０１３８】
実施例４とほぼ同様にして、ブラジャーを作成した。実施例４と異なる点は、バック布に強度を持たせるため、バック布を形成する部片２枚を熱接着性樹脂で接着して積層する場合に、前記（Ａ−１）に相当する部片１枚と前記（Ｂ−２）に相当する部片１枚の合計２枚を（Ｂ−２）に相当する部片が肌側になるようにして形成した２枚積層した部片を用いた点が主として実施例４と異なる点である。
特に断らない限りは、その他の点は実施例４並びに図７と同様であるので、同一の点は重複詳細説明を省略する。
【０１３９】
バック布を形成する部片の前記（Ａ−１）に相当する部片としては、非弾性糸としてナイロン糸４４dtex、弾性糸としてポリウレタン糸７８dtexを用い（混率はナイロン糸６５重量％、ポリウレタン糸３５重量％）、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、前記（Ｂ−２）に相当する部片としては、非弾性糸として４４dtexのナイロン糸を用い、弾性糸として７８dtexのポリウレタン糸（混率は、ナイロン糸６５重量％、ポリウレタン３５重量％）を用い、図１４や図１５で説明したように、非弾性糸は１×１のトリコット組織（デンビ組織）、弾性糸はアトラス組織（この場合、４コースアトラス）組織でウェールの編密度７０／インチ［１インチ（２．５４ｃｍ）当り７０ウェールの編］の編地をそれぞれ用い、これら２枚の編地の編み方向が同じとなる様に重ねて樹脂接着してから、図７の２６で示されるバック布と同様の態様で同様の形状に裁断してバック布部片として用いた。
【０１４０】
従来のブラジャーのバック布においては、バック布２６の上下の縁に沿ってゴムテープが設けられていたが、本実施の形態例のブラジャーのバック布２６の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、かつ縁部がカーリングすることなく身体に密着し、運動時に生じるずれも最小限に防止し、着崩れも防止される。
【０１４１】
バック布は前記編地が２枚積層されているので、引き裂き強度が大きく、特に前記（Ｂ−２）に相当する部片として、弾性糸をアトラス組織とした場合、編み組織が強く、素材として引き裂きが起こりにくい基本物性の強いものとなり、ほつれも生じにくい。本実施例のブラジャーのバック布の上縁と下縁が縁部始末不要な縁であり、かつ上下方向に連続した布から形成されており、上縁から下縁に至るまで表面がフラットで段差がなく、着用時に部分的な圧迫を生じることがない。
弾性糸をアトラス組織とした場合、デンビ組織やハーフ組織に比べ、端部がカーリングしやすくなる傾向があるが、裁断縁部が、素材の編み方向に対して、３０〜１１０度の範囲で裁断することがカーリング防止に好ましい。衣料を形成した際の衣料端部となる箇所全てを、上記角度内で裁断することが好ましい。さらに衣料端部となる箇所の内、縁部長の長い裁断箇所は、４０〜９０度の範囲で裁断することが好ましい。衣料縁部となる箇所の全てを４０〜９０度の範囲で裁断できるとさらに好ましい。
４０〜９０度あるいは３０〜１１０度の範囲で裁断できない箇所は、複数の山形が連続する波形状に裁断すると、ほつれが生じにくい。
【０１４２】
上記、実施例の別の態様として、上記で用いたと同じ編組織である前記（Ａ−１）に相当する部片として、非弾性糸としてナイロン糸４４dtex、弾性糸としてポリウレタン糸７８dtexを用い（混率はナイロン糸６５重量％、ポリウレタン糸重量３５％）、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、前記（Ｂ−２）に相当する部片としては、非弾性糸として４４dtexのナイロン糸を用い、弾性糸として４４dtexのポリウレタン糸（混率は、ナイロン糸６５重量％、ポリウレタン３５重量％）を用い、図１４や図１５で説明したように、非弾性糸は１×１のトリコット組織（デンビ組織）、弾性糸はアトラス組織（この場合、４コースアトラス）組織でウェールの編密度７０／インチ［１インチ（２．５４ｃｍ）当り７０ウェールの編］の編地をそれぞれ用い、これら２枚の編地の編み方向が同じとなる様に重ねて樹脂接着してから、実施例５及び図８、図９の３５で示されるバック布と同様の態様で同様の形状に裁断してバック布部片として用いても同様のほぼ同様の効果を奏することが確認された。
尚、前記（Ａ−１）に相当する部片に重ね合わせて積層する部片として上記実施例では前記（Ｂ−２）に相当する部片を用いたが、前記（Ａ−１）に相当する部片の代わりに前記（Ａ−２）に相当する部片を用いてもよいし、（Ｂ−２）に相当する部片の代わりに前記（Ｂ−１）に相当する部片を用いてもよいことは前述したとおりである。
なお、これら２枚の編地の積層品を衣料を形成する部片として用いることは、ブラジャーのバック布だけではなく、ショーツ、ガードルなどのボトムや、ランジェリーや肌着を形成することも可能である。
【実施例９】
【０１４３】
図２０は本発明の裁断されたままの状態で縁始末不要な縁を有する衣料の一実施の形態例のブラジャーの主要部分の斜視図である。図２１は図２０に示したブラジャーの着用者の左側に相当するバック布部片９５の裁断ラインを編地上に示した平面図である。図２０において、９５が伸縮性のバック布、９８が土台部、９９が前中心部であり、１０２が着用時に左右のバック布を連結するための連結部、１００が乳房カップ、１０１がストラップ、１０３は左右の前中心部の縫合箇所である。バック布部と土台部と前中心部は、連続した１枚の布から形成されている。伸縮性のバック布９５は、裁断されたままで縁始末不要な部片で、かつ上下方向に連続した布で形成されている。この部片を構成する経編地の編み方向は矢印１０６（図２１参照）の示す方向である。
バック布部片９５は、バック布に強度を持たせるため、バック布を形成する部片２枚を熱接着性樹脂で接着して積層して使用しており、前記（Ａ−１）に相当する部片１枚と前記（Ｂ−１）に相当する部片１枚の合計２枚を（Ｂ−１）に相当する部片が肌側になるようにして形成した２枚積層した部片を用いた。
【０１４４】
バック布を形成する部片の前記（Ａ−１）に相当する部片としては、非弾性糸としてナイロン糸４４dtex、弾性糸としてポリウレタン糸７８dtexを用い、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、前記（Ｂ−１）に相当する部片としては、非弾性糸として８０番手の綿糸を用い、弾性糸として７８dtexのポリウレタン糸（混率は、綿６５重量％、ポリウレタン３５重量％）を用い、図１２や図１３で説明したように、非弾性糸は１×１のトリコット組織（デンビ組織）、弾性糸はハーフ組織で非弾性糸と弾性糸の両方とも閉じ目で編成した経編地でウェールの編密度７５／インチ［１インチ（２．５４ｃｍ）当り７５ウェールの編密度］の編地をそれぞれ用い、これら２枚の編地の編み方向が同じとなる様に重ねて樹脂接着してから、図２１の９５で示されるバック布の形状に裁断してバック布部片として用いた。
【０１４５】
そして前記バック布９５の裁断されたままの状態で縁始末不要な縁は、バック布の下側の縁（「下縁」と略称する）９７と上側の縁９６（「上縁」と略称する）の部分である。下縁９７と上縁９６はいずれも複数の波形のある波形状になっている。
【０１４６】
バック布の上縁９６と下縁９７において、波形状の凹凸はほぼ同間隔で現れ、上縁９６の波形状のうち、上方に凸形状の位置に対応する下の位置の下縁９７の波形状は下方に凸形状となっており、逆に、上縁の波形状が下方に凸形状(上方には凹形状) の位置に対応する下の位置の下縁９７の波形状は上方に凸形状(下方に凹形状)となり、バック布を上下に分割する線を対称にして、バック布の上縁と下縁の凹凸が、上下でほぼ対称形状となっている。また、バック布において形成される波形状の各々の波の曲線形状がゆるやかな曲線（曲率半径の大きい曲線）で、波形状の高低差が小さいゆるやかな波長の長い波形状となっている。言いかえるならば、えんどう豆のさやの様な形状となっている。波形状が波長が長めでかつ高低差の少ないゆるやかな波形状とすることによって、バック布の身体へのフィット性を向上させ、上下縁部のめくれを防止でき、また特に波形状の谷部分からの引き裂きが生じやすくなることを防止することが出来る。
【０１４７】
また、バック布９５の上緑９６は、個々の波形状による凹凸を無視した場合に、全体的に下方に突出したゆるやかな曲線であり、そのゆるやかな曲線部に、ゆるやかな波の曲線部がある形状であり、バック布９５の下緑９７は、個々の波形状による凹凸を無視した場合に、全体的に上方に突出したゆるやかな曲線であり、そのゆるやかな曲線部に、ゆるやかな４つの波の曲線部がある形状となっている。
【０１４８】
従って、バック布９５の下側の縁９７の縁ラインの方向は全体として曲線状であるので、バック布の下縁９７の乳房カップ側に近い方の端と連結部１０２側に近い方の端を結ぶ直線と同じ方向、すなわち矢印１０５で示された方向であり、編み方向に対して８５度の角度（裁断角度）がつけられている。上側の縁９６の縁ラインの方向は、当該波形の各頂点を結ぶ直線と同じ方向、すなわち矢印１０４で示された方向であり、編み方向とは１０５度（裁断角度）の角度がつけらている。すなわち、バック布の上下の裁断されたままの状態で縁始末不要な縁を構成するラインは、相互に非平行とされている。尚、縁ラインが波形状となっているため、下側の縁９７の縁ラインの波形状箇所は、８５度を前後する角度で、上側の縁９６の縁ラインの波形状箇所は、１０５度を前後する角度で、裁断されている。土台部９８や前中心部９９は、編み方向に対し、ほぼ７５度の角度で裁断されている。
【０１４９】
１１３は、ストラップ取り付け箇所であり、先端にストラップ１０１が取付けられる。ストラップ取り付け箇所１１３は、バック布９５と連続しており、バック布と一体に裁断されている。縁部は、裁断したままで始末不要である。尚、バック布９５は一番広い箇所で幅９ｃｍ、細い箇所で幅４ｃｍとした。
【０１５０】
従来のブラジャーのバック布においては、バック布９５の上下の縁に沿ってゴムテープが設けられていたが、本実施の形態例のブラジャーのバック布９５の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、運動時に生じるずれも最小限に防止し、着崩れも防止される。またバック布の縁部がめくれてしまうことも有効に防止できる。
【０１５１】
バック布は前記編地が２枚積層されているので、引き裂き強度が大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ縁部ほつれの生じない、形状、角度、に裁断しているため、上下縁部の裁ち端が綺麗で、糸が突出することがない。また、バック布部片として用いた（Ｂ−１）に相当する編地には非弾性糸として綿糸を用いているが、バック布の上縁と下縁がほつれが生じにくく、綿糸を用いている（Ｂ−１）に相当する編地が肌側になるように設計されているので、肌触りが良好で、着用感が向上し、吸汗性が優れているという効果を奏する。綿糸使用の場合、通常、編密度を向上させにくい傾向になるが、弾性糸をハーフ組織とし、弾性糸の収縮度を、デンビ組織よりも上げることができた。そのことによって、素材全体としての編密度を上げ、必要な伸度を有しながらも、裁断されたままの状態で縁始末不要な縁が形成できる素材とすることができる。
【０１５２】
尚、前記（Ｂ−１）に相当する部片に重ね合わせて積層する部片として上記実施例では前記（Ａ−１）に相当する部片を用いたが、前記（Ａ−１）に相当する部片の代わりに前記（Ａ−２）に相当する部片を用いてもよいことは前述したとおりである。また、前記（Ｂ−１）に相当する部片の綿糸の代わりに、ナイロン糸やポリエステル糸のような他の非弾性糸を用いてもよい。
なお、これら２枚の編地の積層品を衣料を形成する部片として用いることは、ブラジャーのバック布だけではなく、ショーツ、ガードルなどのボトムや、ランジェリーや肌着を形成することも可能である。
【実施例１０】
【０１５３】
図２２は本発明の裁断されたままの状態で縁始末不要な縁を有する衣料の一実施の形態例のブラジャーの主要部分の斜視図である。図２０に示したようなブラジャーの着用者の左側に相当するバック布部片の裁断ラインを編地上に示した平面図は本実施例では省略しているが、その形が若干異なるが、ほぼ同様な編方向と縁ラインの方向を有している。
図２２において、１３０が乳房カップ、１２５が伸縮性のバック布、１２９が左右の乳房カップを連結している前中心布、１３２が着用時に左右のバック布を連結するための連結部、１３１がストラップである。伸縮性のバック布１２５は、裁断されたままで縁始末不要な部片で、かつ上下方向に連続した布で形成されている。この部片を構成する経編地の編み方向は矢印１３６の示す方向である。
バック布部片１２５は、バック布に強度を持たせるため、バック布を形成する部片２枚を熱接着性樹脂で接着して積層して使用しており、前記（Ａ−１）に相当する部片１枚と前記（Ｂ−１）に相当する部片１枚の合計２枚を（Ｂ−１）に相当する部片が肌側になるようにして形成した２枚積層した部片を用いた。
【０１５４】
バック布を形成する部片の前記（Ａ−１）に相当する部片としては、非弾性糸としてナイロン糸４４dtex、弾性糸としてポリウレタン糸７８dtexを用い、非弾性糸と弾性糸とが同行する共に１×１トリコット組織で、非弾性糸と弾性糸が共に閉じ目により編成されている経編地で、ウェールの編密度７５／インチ（２．５４ｃｍ）を用い、前記（Ｂ−１）に相当する部片としては、非弾性糸として８０番手の綿糸を用い、弾性糸として７８dtexのポリウレタン糸（混率は、綿６５重量％、ポリウレタン３５重量％）を用い、図１２や図１３で説明したように、非弾性糸は１×１のトリコット組織（デンビ組織）、弾性糸はハーフ組織で非弾性糸と弾性糸の両方とも閉じ目で編成した経編地でウェールの編密度７５／インチ［１インチ（２．５４ｃｍ）当り７５ウェールの編密度］の編地をそれぞれ用い、これら２枚の編地の編み方向が同じとなる様に重ねて樹脂接着してから、バック布の形状に裁断してバック布部片として用いた。
【０１５５】
そして前記バック布１２５の裁断されたままの状態で縁始末不要な縁は、バック布の下側の縁（「下縁」と略称する）１２７と上側の縁１２６（「上縁」と略称する）の部分である。下縁１２７と上縁１２６はいずれも複数の波形のある波形状になっている。
【０１５６】
本実施の形態例においては、バック布の上縁１２６の波形状と下縁１２７の波形状が異なっている。上縁１２６の波形は、上方に凸形状の部分が３個あり、下縁１２７の波形状は下方に凸形状の部分が５個あり、波の数が異なっている。本実施例では、上縁１２６の波の数が下縁１２７の波の数より少なくなっているが、その逆にしてもよい。また、上縁１２６と下縁１２７では、波形状の高さ（波の振幅に相当）が異なっており、上縁１２６は高さの低い波形状であり、下縁１２７は、波の高さが上縁１２６は高さよりも高い波形状となっている。尚、波形状の高さは、上縁１２６と下縁１２７で前記と逆にしてもよい。
【０１５７】
波形状の少ない方の縁における波の高さは低く、一方、波形状の多い方の縁における波の高さは高い方が好ましい。かかる態様とすることにより、それぞれの縁のカールがより生じにくく、また、上縁１２６と下縁１２７のデザインがこのように異なっていても、バック布の上縁と下縁にかかる応力のバランスをとりやすくなる可能性がある。
【０１５８】
また、バック布１２５の上緑１２６は、個々の波形状による凹凸を無視した場合に、全体的に下方に突出したゆるやかな曲線であり、そのゆるやかな曲線部に、個々の波の曲線部がある形状であり、バック布１２５の下緑１２７は、個々の波形状による凹凸を無視した場合に、全体的に上方に突出したゆるやかな曲線であり、そのゆるやかな曲線部に、個々の波の曲線部がある形状となっている。
【０１５９】
従って、バック布１２５の下側の縁１２７の縁ラインの方向は全体として曲線状であるので、バック布の下縁１２７の乳房カップ側に近い方の端と連結部１３２側に近い方の端を結ぶ直線と同じ方向、すなわち矢印１３５で示された方向であり、編み方向１３６に対して８５度の角度（裁断角度）がつけられている。上側の縁１２６の縁ラインの方向は、当該波形の各頂点を結ぶ直線と同じ方向、すなわち矢印１３４で示された方向であり、編み方向１３６とは１０５度（裁断角度）の角度がつけられている。すなわち、バック布の上下の裁断されたままの状態で縁始末不要な縁を構成するラインは、相互に非平行とされている。尚、縁ラインが波形状となっているため、下側の縁１２７の縁ラインの波形状箇所は、８５度を前後する角度で、上側の縁１２６の縁ラインの波形状箇所は、１０５度を前後する角度で、裁断されている。前中心布１２９の下側の縁は、編み方向に対し、ほぼ７５度の角度で裁断されている。
【０１６０】
１４３は、ストラップ取り付け箇所であり、先端にストラップ１３１が取付けられる。ストラップ取り付け箇所１４３は、図示していないが、図２１の符号１１３で示した場合と同様にバック布１２５と連続しており、バック布と一体に裁断されている。縁部は、裁断したままで始末不要である。尚、バック布１２５は一番広い箇所で幅９ｃｍ、細い箇所で幅４ｃｍとした。
【０１６１】
従来のブラジャーのバック布においては、バック布１２５の上下の縁に沿ってゴムテープが設けられていたが、本実施の形態例のブラジャーのバック布１２５の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、運動時に生じるずれも最小限に防止し、着崩れも防止される。またバック布の縁部がめくれてしまうことも有効に防止できる。
【０１６２】
バック布は前記編地が２枚積層されているので、引き裂き強度が大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ縁部ほつれの生じない、形状、角度、に裁断しているため、上下縁部の裁ち端が綺麗で、糸が突出することがない。また、バック布部片として用いた（Ｂ−１）に相当する編地には非弾性糸として綿糸を用いているが、バック布の上縁と下縁がほつれが生じにくく、綿糸を用いている（Ｂ−１）に相当する編地が肌側になるように設計されているので、肌触りが良好で、着用感が向上し、吸汗性が優れているという効果を奏する。綿糸使用の場合、通常、編密度を向上させにくい傾向になるが、弾性糸をハーフ組織とし、弾性糸の収縮度を、デンビ組織よりも上げることができた。そのことによって、素材全体としての編密度を上げ、必要な伸度を有しながらも、裁断されたままの状態で縁始末不要な縁が形成できる素材とすることができる。
【０１６３】
尚、前記（Ｂ−１）に相当する部片に重ね合わせて積層する部片として上記実施例では前記（Ａ−１）に相当する部片を用いたが、前記（Ａ−１）に相当する部片の代わりに前記（Ａ−２）に相当する部片を用いてもよいことは前述したとおりである。また、前記（Ｂ−１）に相当する部片の綿糸の代わりに、ナイロン糸やポリエステル糸のような他の非弾性糸を用いてもよい。
なお、これら２枚の編地の積層品を衣料を形成する部片として用いることは、ブラジャーのバック布だけではなく、ショーツ、ガードルなどのボトムや、ランジェリーや肌着を形成することも可能である。
以上、各実施の形態例で用いた前記伸縮性の経編地からなる部片用の経編地の編み密度（ウエール）、非弾性糸のランナーと弾性糸のランナーは、次の表１の通りである。
【０１６４】
【表１】
0003672920.tif 000002
【産業上の利用可能性】
【０１６５】
本発明の衣料は、裁断したままで縁始末不要な布部片から形成されるため、縁の部分が厚くならず、裾あるいはウェストラインが外衣に反映して段差となって現れることなどのない縁始末不要な縁を有する衣料とすることができ、かつ衣料の上下のいずれか又は両縁部を縁始末不要な縁とでき、衣料設計の自由度が向上し、かつ衣料の前記縁部がカーリングすることなく、身体にフィットし、伸縮性を有し、着用感の良い衣料を提供出来る。従って、身体にフィットさせて着用する衣料、例えば、ガードル、ショーツなどのボトム衣料や、バック布に本発明を適用してブラジャー、もしくは水着あるいはレオタードのトップスなどに有用である。
【図面の簡単な説明】
【０１６６】
【図１】図１は、本発明の裁断されたままの状態で縁始末不要な縁を有する衣料の一実施の形態例のセミロングタイプのガードルの背面側から見た斜視図。
【図２】図２は、図１に示したセミロングタイプのガードルの正面側から見た斜視図。
【図３】図３は、図１、図２に示したセミロングタイプのガードルの着用者の左側に相当する前脇−脇−ヒップ部−脚部充当部片１の裁断ラインを編地上に示した平面図及びクロッチ部片の平面図。
【図４】図４は、本発明の裁断されたままの状態で縁始末不要な縁を有する衣料の一実施の形態例のショートタイプのガードルの背面側から見た斜視図。
【図５】図５は、図４に示したショートタイプのガードルの正面側から見た斜視図。
【図６】図６は、図４、図５に示したショートタイプのガードルの着用者の左側に相当する前脇−脇−ヒップ部充当部片１５の裁断ラインを編地上に示した平面図。
【図７】図７は、本発明の裁断されたままの状態で縁始末不要な縁を有する衣料の一実施の形態例のブラジャーの正面側から見た斜視図。
【図８】図８は、本発明の裁断されたままの状態で縁始末不要な縁を有する衣料の一実施の形態例のブラジャーの正面側から見た斜視図。
【図９】図９は、図８に示したブラジャーの着用者の左側に相当するバック布部片３５及び土台部３８、前中心部３９の裁断ラインを編地上に示した平面図。
【図１０】図１０は、本発明で用いる伸縮性経編地の編組織。
【図１１】図１１は、本発明で用いる伸縮性経編地の編組織。
【図１２】図１２は、本発明で用いる伸縮性経編地の編組織。
【図１３】図１３は、図１２に示した非弾性糸６０と弾性糸６１を重ねて示した編組織図。
【図１４】図１４は、本発明で用いる伸縮性経編地の編組織。
【図１５】図１５は、図１４に示した非弾性糸６５と弾性糸６６を重ねて示した編組織図。
【図１６】図１６は、縁の裁断角度を説明するための模式図。
【図１７】図１７は、本発明の裁断されたままの状態で縁始末不要な縁を有する衣料の一実施の形態例のショーツの背面図。
【図１８】図１８は、図１７に示したショーツの正面図。
【図１９】図１９は、図１７、図１８に示したショーツの着用者の左側に相当する前脇腹−脇−ヒップ部充当部片７５の裁断ラインを編地上に示した平面図。
【図２０】図２０は、本発明の裁断されたままの状態で縁始末不要な縁を有する衣料の一実施の形態例のブラジャーの主要部分の斜視図。
【図２１】図２１は、図２０に示したブラジャーの着用者の左側に相当するバック布部片９５の裁断ラインを編地上に示した平面図。
【図２２】図２２は、本発明の裁断されたままの状態で縁始末不要な縁を有する衣料の一実施の形態例のブラジャーの主要部分の斜視図。
【図１】
0003672920.tif 000003
【図２】
0003672920.tif 000004
【図３】
0003672920.tif 000005
【図４】
0003672920.tif 000006
【図５】
0003672920.tif 000007
【図６】
0003672920.tif 000008
【図７】
0003672920.tif 000009
【図８】
0003672920.tif 000010
【図９】
0003672920.tif 000011
【図１０】
0003672920.tif 000012
【図１１】
0003672920.tif 000013
【図１２】
0003672920.tif 000014
【図１３】
0003672920.tif 000015
【図１４】
0003672920.tif 000016
【図１５】
0003672920.tif 000017
【図１６】
0003672920.tif 000018
【図１７】
0003672920.tif 000019
【図１８】
0003672920.tif 000020
【図１９】
0003672920.tif 000021
【図２０】
0003672920.tif 000022
【図２１】
0003672920.tif 000023
【図２２】
0003672920.tif 000024